(57)【要約】      （修正有）【課題】通常区間、有利区間を有する遊技の興趣を向上した遊技機を提供する。【解決手段】スロットマシンは、通常区間である通常ステージと、有利区間であるハマリステージと、有利区間でありＡＴ状態に制御される擬似ボーナスステージとを含む複数の遊技状態を有し、制御部は、通常ステージから擬似ボーナスステージへ移行する確率の方が、ハマリステージから擬似ボーナスステージへ移行する確率よりも高くなるように制御可能である。【選択図】図６
2019209104.tif 000002
【特許請求の範囲】
【請求項１】
遊技媒体を付与するか否かに関する判定を行うことが可能な判定手段と、
前記判定手段による判定結果に基づく態様で、変動表示している識別情報を停止表示することが可能な表示手段と、
前記表示手段において変動表示している識別情報を停止表示するための停止操作手段と、
前記判定手段による判定結果が特定判定結果であり、且つ、前記停止操作手段への操作態様が特定操作態様である場合、特定態様で識別情報を停止表示させる制御を実行可能な停止表示制御手段と、
前記表示手段に停止表示された識別情報の態様が前記特定態様である場合、遊技者に遊技媒体を付与することが可能な第１付与手段と、
前記判定手段による判定結果が前記特定判定結果である場合、前記特定操作態様に関する情報である特定情報を出力可能な出力手段と、
第１遊技状態と、特定遊技状態及び特別遊技状態を含む第２遊技状態と、を含む複数の遊技状態のうち、何れかの遊技状態に制御可能な遊技状態制御手段と、
前記第２遊技状態を継続させるための特定値を付与可能な第２付与手段と、
前記第２付与手段に付与された特定値を記憶可能な記憶手段と、
前記第２遊技状態に制御されている期間を含む有利期間において、遊技回数を計数可能な計数手段と、
前記第２遊技状態において、前記計数手段により計数された遊技回数が特定回数に到達することに基づいて、前記記憶手段に記憶されている特定値を消去可能な消去手段と、
を備え、
前記出力手段は、
前記特定遊技状態において、前記特定情報を出力可能であり、
前記遊技状態制御手段は、
前記第２遊技状態において、前記計数手段により計数された遊技回数が特定回数に到達することに基づいて、前記第１遊技状態に移行させる制御を実行可能であり、
前記第１遊技状態から前記特定遊技状態へ移行する確率の方が、前記特別遊技状態から前記特定遊技状態へ移行する確率よりも高くなるように制御可能である
ことを特徴とする遊技機。
【請求項２】
遊技媒体を付与するか否かに関する判定を行うことが可能な判定手段と、
前記判定手段による判定結果に基づく態様で、変動表示している識別情報を停止表示することが可能な表示手段と、
前記表示手段において変動表示している識別情報を停止表示するための停止操作手段と、
前記判定手段による判定結果が特定判定結果であり、且つ、前記停止操作手段への操作態様が特定操作態様である場合、特定態様で識別情報を停止表示させる制御を実行可能な停止表示制御手段と、
前記表示手段に停止表示された識別情報の態様が前記特定態様である場合、遊技者に遊技媒体を付与することが可能な第１付与手段と、
前記判定手段による判定結果が前記特定判定結果である場合、前記特定操作態様に関する情報である特定情報を出力可能な出力手段と、
第１遊技状態と、特定遊技状態及び特別遊技状態を含む第２遊技状態と、を含む複数の遊技状態のうち、何れかの遊技状態に制御可能な遊技状態制御手段と、
前記第２遊技状態を継続させるための特定値を付与可能な第２付与手段と、
前記第２付与手段に付与された特定値を記憶可能な記憶手段と、
前記第２遊技状態に制御されている期間を含む有利期間において、獲得した遊技媒体数を計数可能な計数手段と、
前記第２遊技状態において、前記計数手段により計数された遊技媒体数が特定数に到達することに基づいて、前記記憶手段に記憶されている特定値を消去可能な消去手段と、
を備え、
前記出力手段は、
前記特定遊技状態において、前記特定情報を出力可能であり、
前記遊技状態制御手段は、
前記第２遊技状態において、前記計数手段により計数された遊技媒体数が特定数に到達することに基づいて、前記第１遊技状態に移行させる制御を実行可能であり、
前記第１遊技状態から前記特定遊技状態へ移行する確率の方が、前記特別遊技状態から前記特定遊技状態へ移行する確率よりも高くなるように制御可能である
ことを特徴とする遊技機。
【請求項３】
前記第２遊技状態において、遊技の進行に応じて、前記記憶手段に記憶されている特定値を更新する制御を実行可能な更新制御手段と、
前記遊技状態制御手段は、
前記第２遊技状態において、前記更新制御手段によって特定値を更新させる制御を実行されることで、前記記憶手段に記憶されている特定値が終了値に到達したことに基づいて、前記第１遊技状態に移行させる制御を実行可能である
ことを特徴とする請求項１又は２に記載の遊技機。
【請求項４】
前記特別遊技状態において、複数種類の数値の中から何れかの数値を決定可能な決定手段を備え、
前記更新制御手段は、
前記特別遊技状態において、前記記憶手段に記憶されている特定値から、前記決定手段により決定された数値を更新させる制御を実行可能である
ことを特徴とする請求項３に記載の遊技機。
【請求項５】
前記遊技状態制御手段は、
前記第１遊技状態から前記特定遊技状態に移行する確率の方が、前記第１遊技状態から前記特別遊技状態に移行する確率よりも高くなるように制御可能である
ことを特徴とする請求項１〜４の何れか一項に記載の遊技機。
【請求項６】
前記遊技状態制御手段は、
前記特別遊技状態から前記特定遊技状態へは移行しないように制御可能である
ことを特徴とする請求項１〜５の何れか一項に記載の遊技機。
【請求項７】
前記出力手段は、
前記第１遊技状態及び前記特別遊技状態において、前記判定手段による判定結果が前記特定判定結果である場合、前記特定情報を出力しない
ことを特徴とする請求項１〜６の何れか一項に記載の遊技機。
【発明の詳細な説明】
【技術分野】
【０００１】
本発明は、遊技機に関するものである。
【背景技術】
【０００２】
従来、遊技者に不利な遊技状態である場合には通常区間に制御され、遊技者に有利な遊技状態である場合には有利区間に制御される遊技機があった（例えば特許文献１）。
【先行技術文献】
【特許文献】
【０００３】
【特許文献１】特開２０１７−１９６０１５号公報
【発明の概要】
【発明が解決しようとする課題】
【０００４】
しかし、従来の遊技機は、改善の余地があった。
【課題を解決するための手段】
【０００５】
上記課題を解決するために、本発明の遊技機は、遊技媒体を付与するか否かに関する判定を行うことが可能な判定手段と、前記判定手段による判定結果に基づく態様で、変動表示している識別情報を停止表示することが可能な表示手段と、前記表示手段において変動表示している識別情報を停止表示するための停止操作手段と、前記判定手段による判定結果が特定判定結果であり、且つ、前記停止操作手段への操作態様が特定操作態様である場合、特定態様で識別情報を停止表示させる制御を実行可能な停止表示制御手段と、前記表示手段に停止表示された識別情報の態様が前記特定態様である場合、遊技者に遊技媒体を付与することが可能な第１付与手段と、前記判定手段による判定結果が前記特定判定結果である場合、前記特定操作態様に関する情報である特定情報を出力可能な出力手段と、第１遊技状態と、特定遊技状態及び特別遊技状態を含む第２遊技状態と、を含む複数の遊技状態のうち、何れかの遊技状態に制御可能な遊技状態制御手段と、前記第２遊技状態を継続させるための特定値を付与可能な第２付与手段と、前記第２付与手段に付与された特定値を記憶可能な記憶手段と、前記第２遊技状態に制御されている期間を含む有利期間において、遊技回数を計数可能な計数手段と、前記第２遊技状態において、前記計数手段により計数された遊技回数が特定回数に到達することに基づいて、前記記憶手段に記憶されている特定値を消去可能な消去手段と、を備え、前記出力手段は、前記特定遊技状態において、前記特定情報を出力可能であり、前記遊技状態制御手段は、前記第２遊技状態において、前記計数手段により計数された遊技回数が特定回数に到達することに基づいて、前記第１遊技状態に移行させる制御を実行可能であり、前記第１遊技状態から前記特定遊技状態へ移行する確率の方が、前記特別遊技状態から前記特定遊技状態へ移行する確率よりも高くなるように制御可能であることを特徴とする構成にした。
【図面の簡単な説明】
【０００６】
【図１】第１実施形態のスロットマシンを手前側から見た図、内部構成を示す斜視図である。
【図２】第１実施形態のスロットマシンのブロック図である。
【図３】第１実施形態の記憶部が記憶する各種テーブルを説明する図表である。
【図４】第１実施形態の記憶部が記憶する各種テーブルを説明する図表である。
【図５】第１実施形態の記憶部が記憶する各種テーブルを説明する図表である。
【図６】第１実施形態の遊技状態の遷移を説明する図である。
【図７】第１実施形態の表示部の表示画面を説明する図である。
【図８】第１実施形態の通常ステージ滞在時のフローチャートである。
【図９】第１実施形態のハマリステージ、擬似ボーナスステージ滞在時のフローチャートである。
【図１０】第２実施形態に係る遊技機の外観を示す概略正面図である。
【図１１】第２実施形態に係る遊技機の制御構成を示すブロック図である。
【図１２】第２実施形態における演出ボタンを操作する場合の表示器での表示を説明する図である。
【図１３】第２実施形態における上部演出ボタンを操作する場合の表示器での表示を説明する図である。
【図１４】第２実施形態におけるＡＲＴ状態の前兆演出中に操作画像を表示する場合の表示器での表示を説明する図である。
【図１５】第２実施形態における第２操作画像と押し順画像の表示器での表示位置を説明する図である。
【図１６】第２実施形態における第２操作画像を表示する場合の表示器での表示を説明する図である。
【図１７】第２実施形態の第１変形例における第１操作画像の表示器での表示位置を説明する図である。
【図１８】第２実施形態の第１変形例におけるＡＲＴ状態の前兆演出中に第１操作画像を表示する場合の表示器での表示位置の選択率を説明する図表である。
【図１９】第２実施形態の第１変形例における操作画像を表示する場合の表示器での表示を説明する図である。
【図２０】第２実施形態の第１変形例におけるＡＲＴ状態の前兆演出中に操作画像を表示する場合の表示器での表示を説明する図である。
【図２１】第２実施形態の第１変形例におけるＡＲＴ状態の前兆演出中に操作画像を表示する場合の表示器での表示を説明する図である。
【図２２】第２実施形態の第１変形例におけるＡＲＴ状態の前兆演出中に操作画像を表示する場合の表示器での表示を説明する図である。
【図２３】第２実施形態の第１変形例におけるＡＲＴ状態の前兆演出中に操作画像を表示する場合の表示器での表示を説明する図である。
【図２４】第２実施形態の第１変形例における拡大操作画像を表示する場合の表示器での表示を説明する図である。
【図２５】第２実施形態の第２変形例におけるＡＲＴ状態の前兆演出中に操作画像を表示する場合の表示器での表示を説明する図である。
【図２６】第２実施形態の第３変形例におけるＡＲＴ状態の前兆演出中に操作画像を表示する場合の表示器での表示を説明する図である。
【図２７】第２実施形態の第４変形例におけるＡＲＴ状態の前兆演出中に操作画像を表示する場合の表示器での表示を説明する図である。
【発明を実施するための形態】
【０００７】
（実施形態）
図面を参照して、本発明の好ましい実施形態について説明する。
（第１実施形態）
図１〜図９を参照して、第１実施形態について説明する。
［スロットマシン１０の構成］
スロットマシン１０（遊技機）は、遊技場等に設置されるものである。
図１に示すように、スロットマシン１０は、前面に開口部を有する筐体１０ｂと、開口部を開閉可能に覆う前扉１０ａとを備える。
図１、図２に示すように、スロットマシン１０は、メダル投入口１１、ベットボタン１２、スタートレバー１３、ナビランプ１４（１４ａ〜１４ｃ）（出力手段）、停止ボタン１５（１５ａ〜１５ｃ）（停止操作手段）、有利区間ランプ１６、表示部１７、ランプ１８、スピーカ１９（出力手段）、リール２０（２０ａ〜２０ｃ）（変動表示手段）、ドラムユニット２１、メダル払出装置２２、設定ボタン２４、主制御基板２５、副制御基板２６を備える。
【０００８】
なお、スロットマシン１０は、主制御基板２５、副制御基板２６に設けられた記憶部、制御部を備え、各種演算処理、各種制御が可能な装置であり、コンピュータの概念に含まれる。各記憶部は、スロットマシン１０の動作に必要なプログラム、情報等を記憶する半導体メモリ素子等の記憶装置を備える。各制御部は、ＣＰＵ等を備える。各制御部は、各記憶部に記憶された各種プログラム等を適宜読み出して実行することにより、実施形態の各種機能を実現している。
【０００９】
メダル投入口１１は、遊技者がメダル（遊技媒体）を投入する部分である。メダル投入口１１の内部には、メダルセレクタ１１ａ（メダル検出手段）が設けられている。メダルセレクタ１１ａは、メダル投入口１１に投入されたメダルを検出するセンサ等であり、検出信号を制御部２５ｂ（後述する）に出力する。
ベットボタン１２、スタートレバー１３は、遊技者がゲームを開始したりするために操作する操作部である。
ベットボタン１２は、掛け数の設定に係る遊技者の操作を受け付け可能な操作手段の一例である。なお、ベットボタン１２は、掛け数がそれぞれ異なる複数のボタンを備えていてもよい。
【００１０】
ナビランプ１４（１４ａ〜１４ｃ）は、停止ボタン１５ａ〜１５ｃの操作順を、遊技者に対してナビゲート（報知）する。ナビランプ１４ａ〜１４ｃは、停止ボタン１５ａ〜１５ｃの操作順に従って順に点灯するように制御されることにより、このナビゲートを行う。
停止ボタン１５ａ〜１５ｃは、リール２０ａ〜２０ｃの停止操作を行うための操作手段の一例である。停止ボタン１５は、各リール２０ａ〜２０ｃに対応して設けられており、変動表示されている図柄を停止するための操作を受け付け可能である。停止ボタン１５ａ〜１５ｃは、例えば、各ボタンに内蔵されたＬＥＤ等の発光手段が点灯することにより、押下操作可能な状態となる。
【００１１】
有利区間ランプ１６は、擬似ボーナスステージ（後述する）に滞在中において、点灯するように制御される。なお、スロットマシン１０は、有利区間ランプ１６に代えて、例えば、メダルの払出数を表示する払出数表示部等を構成する７セグメントディスプレイ（「７セグ」ともいう）の「ドット」部分等を、点灯するように制御してもよい。
表示部１７は、液晶表示装置等である。表示部１７は、画像による各種演出、遊技における各種情報の表示等を行う。
ランプ１８、スピーカ１９は、発光、音による演出等を行う。
表示部１７、ランプ１８、スピーカ１９等は、各種情報を出力することにより、報知手段、演出手段等として利用できる。
また、後述するように、スピーカ１９は、停止ボタン１５ａ〜１５ｃの操作順を、ナビランプ１４と同様にナビゲートする。
【００１２】
リール２０（２０ａ〜２０ｃ）は、図柄を変動表示する可変表示手段の一例である。
各リール２０ａ〜２０ｃの周面には、複数（例えば２０個）の図柄が表されている。図柄の種類は、例えば、「スイカ」、「チェリー」、「ベル」、「青７（青文字の７）」、「赤７（赤文字の７）」、「ＢＡＲ」等である。
ドラムユニット２１は、リール２０ａ〜２０ｃを回転駆動させる装置である。ドラムユニット２１は、筐体１０ｂ内部に設けられている。
上記形態により、回転駆動されるリール２０ａ〜２０ｃの周面の一部の図柄が、前扉１０ａの前面の窓部で視認されることにより、図柄が変動表示される。
なお、可変表示手段の形態は、これに限定されず、例えば、周面の図柄の個数は、２０個以外でもよい。また、可変表示手段の形態は、機械的なリールではなく、図柄を液晶表示装置等に表示する形態でもよい。
メダル払出装置２２は、ホッパ２２ａに貯留されたメダルを、メダル払出口２２ｂに払い出す装置である。
【００１３】
設定ボタン２４は、遊技場の管理者等の選択操作を受け付けることにより、各当選役の当選確率の設定（つまり遊技の有利度合の設定）を複数の確率値（設定値）のなかから選択し、設定するために用いられる。
【００１４】
図２に示すように、主制御基板２５と、メダルセレクタ１１ａ、ベットボタン１２、スタートレバー１３、ナビランプ１４、停止ボタン１５、有利区間ランプ１６、ドラムユニット２１、メダル払出装置２２及び設定ボタン２４とは、通信ケーブルで接続されており通信可能である。
主制御基板２５は、記憶部２５ａ（記憶手段）、制御部２５ｂ（判定手段、停止表示制御手段、第１付与手段、第２付与手段、計数手段、消去手段、決定手段、更新制御手段）を備える。
記憶部２５ａは、遊技に関する遊技プログラム、内部抽選を行うための各テーブル３１〜３７（図３〜図５参照）等の各種情報等を記憶する。
【００１５】
図３に示すように、内部抽選テーブル３１は、各遊技における各当選役の当選確率を規定する。内部抽選テーブル３１は、各当選役と、当選確率（分母６５５３５）とを対応付けて記憶する。内部抽選テーブル３１は、設定１〜３に対応した情報を有する。
設定は、設定１が最も低設定であり、設定３が最も高設定である。後述するように、設定は、高設定である程、遊技者に有利である。
設定は、高設定である程、共通ベル役Ｂの当選確率が高く、且つ、共通ベル役Ｃの当選確率が低い。その他の当選役については、全設定共通の当選確率である。
なお、設定は、２段階以下でも、４段階以上でもよく、また、各種当選役の振り分け率も一部又は全部について同一にしてもよいし、異ならせてもよい。
配当テーブル３２は、各当選役と、各当選役に入賞した場合のメダル払出数とを対応付けて記憶する。
【００１６】
図４の有利区間移行抽選テーブル３３は、通常区間中に参照され、有利区間に移行するか否かを抽選するために参照される。
滞在ゲーム数抽選テーブル３４，３５は、有利区間（擬似ボーナスステージ、ハマリステージ）の滞在ゲーム数を抽選するために参照される。滞在ゲーム数は、移行抽選の契機となった当選役及び移行後の遊技状態に応じて、決定されるようになっている。
【００１７】
図５の短縮抽選テーブル３６は、ハマリステージ滞在中に、ハマリステージの滞在ゲーム数の短縮ゲーム数を抽選するために参照される。
なお、払出数、当選確率等は、これらのテーブルの規定に限るものではない。
各テーブルを利用した処理の詳細は、後述する。
【００１８】
制御部２５ｂは、記憶部２５ａのプログラムによって動作する。これにより、制御部２５ｂは、スロットマシン１０の遊技の進行に関する処理等を行う。
また、制御部２５ｂは、スタートレバー１３等の操作部の操作に応じて、内部抽選処理等をともなうゲーム進行処理、記憶部２５ａに記憶した各種情報の管理、また、メダル払出装置２２等の装置を制御することにより、スロットマシン１０の遊技を実現する。
制御部２５ｂの詳細な処理は、後述する。
【００１９】
副制御基板２６と、表示部１７、ランプ１８及びスピーカ１９との間は、通信ケーブルで接続されており通信可能である。副制御基板２６は、主制御基板２５からの指示に応じて、これらの装置を制御する。
【００２０】
副制御基板２６は、記憶部２６ａ、制御部２６ｂを備える。
記憶部２６ａは、遊技に関する遊技プログラム等の各種情報等を記憶する。
制御部２６ｂは、主制御基板２５の制御部２５ｂからのコマンド（指示）に応じて、スロットマシン１０の遊技に同期した演出等の処理、制御を行う。制御部２６ｂは、表示部１７、ランプ１８、スピーカ１９等を制御することにより、映像出力、ランプ発光、ファンファーレ音出力等による演出を行う。これらの出力、演出は、例えば、遊技状態の移行を報知するもの、各遊技状態に対応したもの等である。
制御部２５ｂの詳細な処理は、後述する。
【００２１】
［スロットマシン１０の基本動作］
主制御基板２５の制御部２５ｂ、副制御基板２６の制御部２６ｂは、以下のように、ゲームの基本動作を行う。
各ゲーム（実施形態では当該ゲーム、今回ゲームともいう）の開始時には、メダル（クレジットメダルも含む）を用いて掛け数の設定を行う。
掛け数の設定は、メダル投入口１１から直接メダルを投入して設定する方法、ベットボタン１２を押下操作して設定する方法等を有する。
【００２２】
メダル投入口１１からメダルを投入する方法では、投入分のメダル枚数に対応する所定数の掛け数（ただし、メダル３枚に対応する掛け数「３」が上限）が設定されることになる。
ベットボタン１２を用いる方法では、ベットボタン１２が操作されると、クレジットメダルから、所定数（例えば、２枚、３枚）のメダル数が減算され、減算された分が掛け数として設定されることになる。クレジットメダルは、メダル投入口１１からのメダル投入や入賞により加算され、例えば、内部データとしてメダル５０枚までクレジット（記憶）することができる。
【００２３】
メダル投入やベットボタン１２の操作により設定された掛け数は、主制御基板２５の記憶部２５ａに記憶される。そして、掛け数が所定数になったときに、１回の遊技を実行可能な権利を保有するゲーム開始可能な状態となる。
なお、掛け数の上限は、「１」、「２」、又は「４」以上でもよい。
図３の配当テーブル３２に示すように、本実施形態では、非ボーナス状態滞在中には、３枚掛け遊技を想定しており、ボーナス状態滞在中には、２枚掛け遊技を想定している。
【００２４】
上記ゲーム開始可能な状態では、スタートレバー１３の操作が有効な状態となる。この有効な状態において、スタートレバー１３が傾動操作されると、ゲームが開始される。実施形態では、スタートレバー１３の操作が有効な状態でこれが操作されることを「ゲーム開始操作」ともいう。ゲーム開始操作受付に応じて、リール２０ａ〜２０ｃが変動を開始するとともに、リプレイ役、小役等の複数の当選役（ハズレ役を含む）のなかから今回ゲームの抽選結果をリール２０ａ〜２０ｃの停止前に事前に決定する内部抽選処理が実行される。これにより、制御部２５ｂは、遊技媒体を付与するか否かに関して、内部抽選による判定を行う。
内部抽選処理では、複数の当選役の中から今回ゲームの当選役を所定の当選確率に基づいて抽選により決定する。
なお、本実施形態では、内部抽選処理は、リール２０ａ〜２０ｃが定常回転に達する前に完了するものとするが、リール２０ａ〜２０ｃが回転を開始する前に完了するようにしてもよい。
【００２５】
各リール２０ａ〜２０ｃは、停止状態から徐々に回転速度を上げた後、一定の速度で回転する定常回転に達する。このような定常回転に達すると、各リール２０ａ〜２０ｃに対応して設けられた停止ボタン１５ａ〜１５ｃが押下操作可能な状態（停止ボタン操作の有効化）となる。
このような状態において各停止ボタン１５が押下操作されると、その操作タイミングと内部抽選処理の抽選結果とにより許容される図柄の組み合わせで停止するように、各リール２０ａ〜２０ｃが停止制御される。
【００２６】
そして、第３リール停止操作後に、入賞ライン上に停止した図柄の組み合わせを判定した結果、所定の図柄の組み合わせであるときに入賞と判定され、図柄の組み合わせに応じた遊技価値が付与される。
なお、第３リールとは、３つのリール２０ａ〜２０ｃの停止操作が各１回ずつ計３回された場合において、その最後である３操作目に停止操作をされたリールをいう。また、第３リール停止操作後とは、遊技者が第３リールを停止するために停止操作した停止ボタン１５から指等を離した時点後のことをいう。
【００２７】
遊技価値の一例として、小役に対応する図柄の組み合わせの停止により、小役入賞が判定され、メダル払出装置２２が駆動制御されることにより、メダル払出口２２ｂに所定数のメダルが払い出される（図３の配当テーブル３２参照）。
なお、メダルの払出は、クレジットメダルの上限数を超える分のみが払い出されるように構成することもできるが、所定のボタン等を事前に操作することにより、入賞が発生するごとに、入賞に対応するメダルが払い出されるように構成することもできる。
【００２８】
停止状態では、リール２０ａ〜２０ｃそれぞれに表された上下方向に連続する３つの図柄が機外から視認可能に停止（「停止表示」ともいう）する。これにより、制御部２５ｂは、上記内部抽選による判定結果に基づく態様で、変動表示している識別情報を停止表示可能に制御する。
そして、制御部２５ｂは、このときの停止表示態様に基づいて入賞の有無を判定する。
制御部２５ｂは、中段（上下方向に連続する３つの図柄のうち中央）の入賞ライン上に停止した図柄の組み合わせに基づいて、入賞の判定を行う。なお、入賞ラインは、これに限定されず、例えば、上段、中段、下段３つのラインと斜め２つのラインの計５ラインにしてもよく、また、これら５ラインのうち１以上の任意のラインにしてもよい。
【００２９】
（当選役）
当選役は、例えば、「小役」、「リプレイ役」、「ボーナス役」等を有する。
「小役」に対応する図柄の組み合わせは、例えば、ベル役、レア役、ハズレ役等である。
「ベル役」に対応する図柄の組み合わせは、入賞ライン上の「リール２０ａ（左）・リール２０ｂ（中）・リール２０ｃ（右）」の順に、「ベル・ベル・ベル」である。
さらに、「ベル役」は、「共通ベル役Ａ〜Ｃ」、「押し順ベル役１〜６」を有する。
「共通ベル役Ａ〜Ｃ」の何れかに当選時には、押し順に関係なく図柄の組み合わせが揃う。「押し順ベル役１〜６（後述する）」の何れかに当選時には、押し順に従うことにより図柄の組み合わせが揃う。
【００３０】
レア役は、チェリー役、スイカ役を有する。チェリー役の図柄の組み合わせは、「チェリー・ＡＮＹ・ＡＮＹ」（ただしＡＮＹは任意の図柄）であり、スイカ役の図柄の組み合わせは、「スイカ・スイカ・スイカ」である。
制御部２６ｂは、レア役に当選した遊技では、これらに対応する図柄の画像、又はその図柄を示唆する画像を、表示部１７に表示する。遊技者は、この表示に従って目押しをともなう操作、つまり、表示部１７等に表示された図柄と同じ図柄が入賞ライン上に停止するタイミングで各リール２０ａ〜２０ｃの停止操作をすればよい。制御部２５ｂは、この停止操作に応じて、当選役に対応する図柄の組み合わせを停止表示する。
【００３１】
「リプレイ役」に対応する図柄の組み合わせの停止により、リプレイ入賞が判定され、次回ゲームにおいてメダルの投入を行うことなく、すなわち、メダルを費やすことなく遊技可能な状態となる。
「リプレイ役」に対応する図柄の組み合わせは、「リプレイ・リプレイ・リプレイ」（通常リプレイ）等である。
「ボーナス役」に対応する図柄の組み合わせは、「青７・青７・青７」等である。この図柄の組み合わせの停止に基づいて、遊技状態は、ボーナス状態に移行する。ボーナス状態の詳細は、後述する。
【００３２】
（押し順）
押し順とは、停止ボタン１５ａ〜１５ｃに対する操作順序である。
本実施形態では、押し順をともなう当選役として、押し順ベル役１〜６を有する。
以下のように、制御部２５ｂは、内部抽選による判定結果が押し順ベル役１〜６（特定判定結果）であり、且つ、停止ボタン１５ａ〜１５ｃへの操作態様が押し順に従ったもの（特定操作態様）である場合に、ベル役に対応した図柄の組み合わせである「ベル・ベル・ベル」（特定態様）で、図柄を停止表示させる制御を実行する。
【００３３】
押し順の報知例として、例えば、「押し順ベル役１〜６」のうち「押し順ベル役１」に当選した場合には、ナビランプ１４ａ〜１４ｃは、左から右に向けて順次点灯し、スピーカ１９は、「左」、「中」、「右」の順でそれぞれの音声を出力する。
このように、ナビランプ１４、スピーカ１９は、停止ボタン１５ａ〜１５ｃの操作順に関する情報（特定情報）を出力する。
なお、ナビランプ１４、スピーカ１９に加えて、又はこれらに代えて、表示部１７が、停止ボタン１５ａ〜１５ｃの操作順に関する情報を出力してもよい。
【００３４】
遊技者が、このナビゲートに応じて、停止ボタン１５を操作することにより、「押し順ベル役１」に対応する図柄の組み合わせが停止表示され、遊技者に遊技価値（規定枚数のメダルの払い出し、遊技状態の移行等）が付与される。
一方、「押し順ベル役１〜６」に当選した場合に、上記のようなナビゲートに従わずに、停止ボタン１５を操作したときには、「押し順ベル役１〜６」に対応する図柄の組み合わせが停止されない。詳細な説明は省略するが、実施形態では、このようなベル取りこぼしの操作がされた場合には、所定の図柄の組み合わせが停止表示し、また、１枚のメダルを払い出すように制御される。
【００３５】
［スロットマシン１０の遊技の流れ］
図６等を参照しながら、本実施形態のスロットマシン１０の遊技の流れの一例を説明する。
主制御基板２５の制御部２５ｂ、副制御基板２６の制御部２６ｂは、スロットマシン１０を、複数の遊技状態に制御可能であり、各遊技状態における各種処理、遊技状態間の移行の制御（以下単に「移行」ともいう）等を、以下のように行う。
以下、特に説明がない場合には、各遊技状態から他の遊技状態への移行時点は、基本的に、移行条件が成立した遊技の第３リール停止操作後である。但し、これに限定されず、移行条件が成立後、次ゲームから移行してもよい。
【００３６】
（ＡＴ状態、ＲＴ状態、ボーナス状態）
基本的な遊技状態であるＡＴ状態、ＲＴ状態、ボーナス状態について説明する。
ＡＴは、アシストタイムの略称である。ＡＴ状態は、押し順ベル役１〜６の当選時において、停止ボタン１５ａ〜１５ｃの操作順が報知されることにより、ベル役の入賞をアシストする遊技状態である。このため、ＡＴ状態中は、非ＡＴ状態中に比べて出玉スピードが速くなる。
ＲＴは、リプレイタイムの略称である。本実施形態のＲＴ状態は、リプレイ役の当選確率が定められたＲＴ１状態、ＲＴ２状態を有する。
図３の内部抽選テーブル３１に示すように、ＲＴ１状態は、ボーナス役に当選可能な状態である。ＲＴ２状態は、ボーナス役に当選不可能な状態である。
また、ボーナス状態は、共通ベル役Ａのみが当選する遊技状態である。
【００３７】
図６（Ａ）に示すように、遊技状態は、ＲＴ１状態、ＲＴ２状態、ボーナス状態の間で移行可能に制御される。
ＲＴ１状態からＲＴ２状態へは、本実施形態では、ボーナス役の当選（リプレイ役及びボーナス役の重複当選）に基づいて移行する。
ＲＴ２状態は、ボーナス役に内部当選した状態で遊技される状態であり、ＲＴ２状態からボーナス状態へは、ＲＴ２状態に滞在中において、ボーナス役に対応した図柄の組み合わせである「青７・青７・青７」が停止することに基づいて移行する。
なお、ＡＴ状態中に押し順ベル役に当選した場合には、押し順に従って停止操作されることにより、ベル役に対応した図柄の組み合わせが停止表示する。また、押し順ベル役の当選時において押し順に従わずに停止操作された場合には、こぼし目に対応した所定の図柄の組み合わせ（ハズレ役と同一の図柄の組み合わせ等）が停止表示される。さらに、ハズレ役に当選した場合には、後述するように、遊技者は、ボーナス役を入賞させる目押し操作を行わない。
このため、ＲＴ２状態からボーナス状態へ移行する確率は、極めて低い。
【００３８】
なお、本実施形態のＲＴ状態は、２つであるが、１つ又は３つ以上であってもよい。
また、設定リセット時等には、低リプレイ確率であるＲＴ０に設定してもよい。ＲＴ０からＲＴ１状態へは、例えば、所定の当選役に対応する図柄の組み合わせの停止表示（押し順ベル役当選時等の停止表示）、又は所定の当選役に対応しない図柄の組み合わせの停止表示（押し順ベル役当選時等のこぼし目の停止表示）等によって、容易に移行するようにしてもよい。
【００３９】
ボーナス状態からＲＴ１状態へは、ボーナス滞在中において、ボーナス状態の終了条件が成立したことに基づいて移行する。ボーナス状態の終了条件は、メダルの払い出し枚数が４０枚を超えることである。ボーナス状態滞在中には、共通ベル役Ａのみが当選するので、ボーナス状態滞在中に２１回の遊技が終了することにより（メダルを４２枚払い出すことにより）、ボーナス状態からＲＴ１状態に移行することになる。
また、ボーナス状態に移行する確率は低いが、ボーナス状態における遊技では、２枚掛けの遊技を想定しており、共通ベル役の当選及び入賞に基づいて、２枚のメダル払出数を決定する。このため、仮に、ボーナス状態に移行しても、遊技者にとっては、獲得メダルの増加の期待が低い。このため、実施形態の遊技は、ＲＴ２状態において、ハズレ役当選時に（ボーナス役の入賞が可能な時に）、遊技者にボーナス役を入賞させる目押し操作をさせない仕様になっている。
【００４０】
上記処理によって、遊技状態は、ＲＴ１状態からＲＴ２状態に移行後には、ＲＴ２状態からボーナス状態へは、移行しにくいように制御される。また、ボーナス状態からＲＴ１状態へは、容易に移行する。
このため、スロットマシン１０は、基本的に、ＲＴ２状態に制御された状態で、ボーナスには入賞させずに、遊技させる遊技性を有する。
【００４１】
（通常ステージ、ハマリステージ、擬似ボーナスステージ）
通常ステージ（通常状態）、ハマリステージ（特別遊技状態）、擬似ボーナスステージ（特定遊技状態）の概要を説明する。
図６（Ｂ）に示すように、本実施形態のスロットマシン１０の遊技は、通常ステージ、ハマリステージ、擬似ボーナスステージの複数の遊技状態を有する。制御部２５ｂ，２６ｂは、所定の移行条件が成立することに基づいて、遊技状態を、通常ステージと、ハマリステージ又は擬似ボーナスステージとの間で移行するように制御可能である。
通常ステージ、ハマリステージ滞在状態に滞在中には、非ＡＴ状態に制御され、擬似ボーナスステージ状態に滞在中には、ＡＴ状態に制御される。
【００４２】
制御部２５ｂ，２６ｂは、前述したＲＴ１状態、ＲＴ２状態及びボーナス状態間の移行の制御と、通常ステージ、ハマリステージ及び擬似ボーナスステージ間の移行の制御とを、独立して行う。このため、遊技状態は、通常ステージ、ハマリステージ及び擬似ボーナスステージの各ステージに滞在中において、ＲＴ１状態、ＲＴ２状態及びボーナス状態間で移行する。但し、前述したように、本実施形態の遊技は、基本的に、ＲＴ２状態で行われるため、各ステージの遊技は、基本的に、ＲＴ２状態に滞在した状態で行われる。
【００４３】
また、スロットマシン１０の遊技は、通常区間、有利区間を有する。各区分の遊技状態は、以下の通りである。
通常区間での遊技状態（第１遊技状態）は、通常ステージである。
有利区間での遊技状態（第２遊技状態）は、ハマリステージ、擬似ボーナスステージである。
有利区間への移行抽選は、設定差が無い当選役に当選した場合に、有利区間移行抽選テーブル３３が参照されることで行われるが、これに限定されず、設定差がある当選役に当選した場合に、有利区間への移行抽選を行うようにしてもよい。
有利区間への移行抽選の結果が非当選である場合には、通常区間を維持し、一方、擬似ボーナスステージ当選又はハマリステージ当選である場合には、有利区間に移行するとともに、当選内容に応じた遊技状態に制御される。
【００４４】
擬似ボーナスステージ滞在中には、ＡＴ状態に制御され、ハマリステージ滞在中には、非ＡＴ状態に制御される。擬似ボーナスステージ及びハマリステージは、３０回以上のゲームを行うことで終了し（図４の滞在ゲーム数抽選テーブル３４，３５参照）、その後、通常ステージに移行する。
また、これとは別に、制御部２５ｂは、有利区間に移行後、「有利区間での連続ゲーム回数がリミッタ（特定回数）である１５００回に到達すること」の条件を満たすことに基づいて、通常区間である通常ステージに移行させる制御を実行可能である。なお、有利区間での連続ゲーム回数の上限は、１５００回以外でもよく、例えば、２０００回、３０００回等でもよい。
但し、後述するように、本実施形態では、基本的に、ハマリステージに滞在中において、リミッタ到達に応じて通常ステージに移行することはない。
【００４５】
なお、詳細は後述するが、スロットマシン１０の基本的な遊技性は、擬似ボーナスステージ（擬似ボーナスステージが連荘する場合もある）で出玉を増やすタイプであり、つまり、通常ステージ及び擬似ボーナスステージ間をループさせて出玉を増やすタイプである。すななち、通常区間及び有利区間間をループさせて出玉を増やすタイプの遊技性を有しているため、有利区間のリミッタを考慮することなく出玉を増やすことができる。
【００４６】
図７〜図９等を参照しながら、各ステージの詳細を説明する。
（通常ステージ）
通常ステージは、非ＡＴ状態に制御される。このため、制御部２５ｂは、通常ステージに滞在中には、各遊技の抽選結果が押し順ベル役１〜６であっても、停止ボタン１５ａ〜１５ｃの押し順を、報知（出力）しない。
このため、通常ステージ滞在中に押し順ベル役１〜６に当選しても、遊技者は、基本的にベル役に対応した図柄の組み合せを、停止表示させることができない。そのため、通常ステージは、一連の遊技において、遊技者にとっては、獲得メダルの増加を望めないため、不利な遊技状態に位置付けられる。
図７に示すように、表示部１７等は、この遊技状態に対応した曇り空の背景を表示する。
【００４７】
図８のフローチャートを参照しながら遊技の流れを説明する。
Ｓ１において、制御部２５ｂは、通常ステージに滞在することに応じて、有利区間ランプ１６を非点灯に制御する。
Ｓ２において、制御部２５ｂは、ゲーム開始操作を受け付けたことに基づいて、内部抽選テーブル３１を参照することにより、当選役の抽選処理を行う。
Ｓ３において、制御部２５ｂは、当該ゲームの当選役が押し順ベル役１〜６の何れかであるか否かを判定する。制御部２５ｂは、当選役が押し順ベル役１〜６の何れかである場合には（Ｓ３：ＹＥＳ）、Ｓ３ａに進み、一方、押し順ベル役１〜６以外である場合には（Ｓ３：ＮＯ）、Ｓ４に進む。
【００４８】
Ｓ３ａにおいて、制御部２５ｂは、有利区間移行抽選テーブル３３の押し順ベル役１〜６の列を参照することにより、有利区間移行抽選処理を行う。すなわち、制御部２５ｂは、押し順ベル役１〜６に当選（Ｓ３：ＹＥＳ）後における抽選処理を行う。
制御部２５ｂは、非当選に当選することにより通常ステージに引き続き滞在するか、有利区間である擬似ボーナスステージ又はハマリステージに当選することにより、有利区間に移行するかを決定する。これらの当選確率は、高い順に、非当選（１５５／２５５）、擬似ボーナスステージへの移行（７０／２５５）、ハマリステージへの移行（３０／２５５）である。
また、制御部２５ｂは、擬似ボーナスステージ、ハマリステージが当選した場合には、滞在ゲーム数抽選テーブル３４を参照することにより、各ステージの滞在ゲーム数（特定値）を３０回、１００回、３００回、５００回から抽選後、抽選結果を記憶部２５ａに記憶する。これにより、制御部２５ｂは、有利区間である擬似ボーナスステージ又はハマリステージを継続するための滞在ゲーム数を遊技者に付与する。
【００４９】
Ｓ４において、制御部２５ｂは、当該ゲームの当選役が共通ベル役Ａ、チェリー役、スイカ役の何れかであるか否か判定する。制御部２５ｂは、当選役がこれらの何れかである場合には（Ｓ４：ＹＥＳ）、Ｓ４ａに進み、一方、これらの当選役以外である場合には（Ｓ４：ＮＯ）、Ｓ５に進む。
なお、制御部２５ｂは、当該ゲームの当選役が、押し順ベル役１〜６以外である場合、つまり、共通ベル役Ａ、チェリー役、スイカ役の何れかである場合には、擬似ボーナスステージへの移行を確定する（図４の有利区間移行抽選テーブル３３参照）。
このように、Ｓ２の当選役の抽選処理の後に、さらに有利区間移行抽選処理をすることなく、有利区間である擬似ボーナスステージへの移行が確定する場合がある。つまり、Ｓ２の抽選処理自体が、有利区間移行抽選処理としての機能する場合がある。
【００５０】
なお、制御部２５ｂは、共通ベル役Ａ等の当選時には、Ｓ４ａにおいて、Ｓ３ａと同様に、有利区間移行抽選処理（当選率１００％）を行うようにしてもよい。
また、制御部２５ｂは、Ｓ３、Ｓ４等の判定処理とは異なる処理によって、有利区間に移行するか否かの判定、及び有利区間に移行後の滞在ゲーム数を決定してもよい。この場合には、制御部２５ｂは、例えば、Ｓ２の「当選役抽選処理」の後に、「有利区間移行抽選処理」を行い、当該「有利区間移行抽選処理」で当選したか否かの判定処理を行い、当該判定処理で「有利区間移行抽選処理」で当選したと判定されたときに、「滞在ゲーム数抽選処理」を行うようにしてもよい。
【００５１】
Ｓ４ａにおいて、制御部２５ｂは、滞在ゲーム数抽選テーブル３５のうち、擬似ボーナスステージの行を参照することにより、擬似ボーナスステージの滞在ゲーム数（特定値）を３０回、１００回、３００回、５００回から抽選後、抽選結果を記憶部２５ａに記憶する。
これにより、制御部２５ｂは、有利区間である擬似ボーナスステージを継続するための滞在ゲーム数を遊技者に付与する。
【００５２】
Ｓ５において、制御部２５ｂは、通常ステージの滞在を引き続き維持するか否かを判定する。制御部２５ｂは、通常ステージの滞在を引き続き維持する場合には（Ｓ５：ＹＥＳ）、Ｓ２からの処理を繰り返し、一方、維持しないと判定した場合には（Ｓ５：ＮＯ）、Ｓ６に進む。
これまでの処理によって、通常ステージを維持する場合は、以下の２つの何れかである。
・当該ゲームの抽選結果が、押し順ベル役１〜６以外（Ｓ３：ＮＯ）、又は共通ベル役、チェリー役、スイカ役以外である場合（Ｓ４：ＮＯ）
・当該ゲームの当選結果が押し順ベル役１〜６であり（Ｓ３：ＹＥＳ）、且つ、Ｓ３ａの有利区間抽選処理において非当選であった場合
【００５３】
Ｓ６において、制御部２５ｂは、通常ステージから擬似ボーナスステージ又はハマリステージへの移行するための処理を行い、通常ステージの処理を終了する。
これまでの処理によって、擬似ボーナスステージに移行する場合は、以下の２つの何れかである。
・当該ゲームの抽選結果が押し順ベル役１〜６であり（Ｓ３：ＹＥＳ）、且つ、Ｓ３ａの有利区間抽選処理において擬似ボーナスステージ移行が当選した場合
・当該ゲームの抽選結果が、共通ベル役、チェリー役、スイカ役の何れかである場合（Ｓ４：ＹＥＳ）
一方、ハマリステージに移行する場合は、以下の１つである。
・当該ゲームの抽選結果が、押し順ベル役１〜６であり（Ｓ３：ＹＥＳ）、且つ、Ｓ３ａの有利区間抽選処理においてハマリステージの移行が当選した場合
【００５４】
このように、通常ステージからの移行先は、擬似ボーナスステージ又はハマリステージである。
なお、図４の有利区間移行抽選テーブル３３に示すように、擬似ボーナスステージの移行確率は、ハマリステージへの移行確率よりも高く、遊技者にとって有利な設定になっている。すなわち、ハマリステージへ移行する場合は、押し順ベル役１〜６当選時のみであり、且つ、押し順ベル役１〜６当選時においても、擬似ボーナスステージの移行確率が、ハマリステージへの移行確率よりも高い。
【００５５】
（ハマリステージ）
ハマリステージは、非ＡＴ状態に制御される。このため、ハマリステージは、通常ステージと同様に、遊技者にとっては、不利な状態である。このように、通常ステージ及びハマリステージは、共に非ＡＴ状態に制御されるので、出玉に関しては優劣がない。但し、以下説明するように、ハマリステージから擬似ボーナスステージへは、移行しない。このため、ハマリステージは、一連の遊技において、遊技者にとっては、通常ステージよりもさらに不利な遊技状態に位置付けられる。
図７に示すように、表示部１７等は、この遊技状態に対応した雨の背景を表示する。
このように、スロットマシン１０は、有利区間よりも通常区間の方が有利な場合があるため、従来の遊技機と比較すると特異な遊技性を有し、意外性を有するゲームを提供できる。
【００５６】
図９（Ａ）のフローチャートを参照しながら遊技の流れを説明する。
Ｓ１１において、制御部２５ｂは、ハマリステージに滞在することに応じて、有利区間ランプ１６を非点灯に制御する。
このように、スロットマシン１０は、有利区間に滞在中であるのに、有利区間ランプ１６を非点灯にする。これにより、スロットマシン１０は、意外性を有するゲームを提供できる。
Ｓ１２において、制御部２５ｂは、ゲーム開始操作を受け付けたことに基づいて、内部抽選テーブル３１を参照することにより、当選役の抽選処理を行う。
但し、制御部２５ｂは、ハマリステージ中には、通常ステージ滞在中とは異なり、擬似ボーナスステージへの移行抽選（上記Ｓ３ａ、Ｓ４等参照）を行わない。このため、遊技状態は、ハマリステージから擬似ボーナスステージに移行することはない。
【００５７】
Ｓ１３において、制御部２５ｂは、有利区間であるハマリステージ滞在中のゲーム数をカウントし、記憶部２５ａに記憶する。これにより、ハマリステージにおける遊技の進行に応じて、有利区間のゲーム数が１回ずつ増える。
【００５８】
Ｓ１４において、制御部２５ｂは、短縮抽選テーブル３６（図５参照）を参照することにより、短縮ゲーム数抽選処理を行う。短縮ゲーム数抽選処理は、ハマリステージ滞在中の毎ゲームで実行される。
短縮ゲーム数抽選処理は、ハマリステージの残り滞在ゲーム数の短縮ゲーム数を抽選することにより、決定する処理である。短縮抽選テーブル３６に示すように、制御部２５ｂは、当該ゲームの当選役に基づいて、複数種類の数値である１回、１０回、３０回、５０回、１００回、５００回のなかから抽選することにより、短縮ゲーム数の数値を決定する。
その他の当選役（押し順ベル役１〜６、共通ベル役Ｂ、チェリー役、スイカ役以外の当選役）では、短縮ゲーム数１のみが当選する。押し順ベル役１〜６の何れかの当選役では、短縮ゲーム数１の当選確率が２５０／２５５であり、また、短縮ゲーム数１０の当選確率５／２５５である。このため、遊技者にとっては、これらの当選役では、滞在ゲーム数が大きく短縮される期待が低い。
【００５９】
共通ベル役Ｂでは、短縮ゲーム数１０回以上のみが当選し、また、１０回、３０回、５０回、１００回、５００回の順に当選確率が低くなる。
ここで、図３の内部抽選テーブル３１に示すように、共通ベル役Ｂは、高設定である程、共通ベル役Ｂに当選しやすいように設定されている。このため、遊技者にとっては、高設定である程、滞在ゲーム数が大きく短縮される期待が大きい。
チェリー役、スイカ役では、それぞれ、短縮ゲーム数１０回以上のみが当選する。また、３０回以上の当選確率は、チェリー役が（２５５−１００）／２５５、スイカ役が（２５５−１３５）／２５５であるので、共通ベル役Ｂの（２５５−１５０）／２５５よりも高い。このため、チェリー役、スイカ役は、遊技者にとっては、滞在ゲーム数が大きく短縮される期待がより大きい。
【００６０】
Ｓ１５において、制御部２５ｂは、滞在ゲーム数減算処理を行う。
滞在ゲーム数減算処理は、ハマリステージの滞在ゲーム数を、Ｓ１４で決定した短縮ゲーム数分だけ減算する処理である。
これにより、制御部２５ｂは、遊技進行に応じて、記憶部２５ａに記憶されている滞在ゲーム数を、減算することにより更新する。
なお、短縮ゲーム数１である場合には、１回のゲームに応じて、滞在ゲーム数が１だけ減算する。これに対して、短縮ゲーム数が１０回以上である場合には、滞在ゲーム数が一気に１０回以上減算するので、遊技者にとっては、利益が大きい。
なお、図７（Ｂ）の表示画面は、現時点の滞在ゲーム数を表示する例を示すが、これを表示しなくてもよい。
【００６１】
Ｓ１６において、制御部２５ｂは、記憶部２５ａを参照することにより、Ｓ１５で更新された記憶部２５ａの滞在ゲーム数が０回に到達したか否かを判定する。制御部２５ｂは、滞在ゲーム数が０回であると判定した場合には（Ｓ１６：ＹＥＳ）、Ｓ１９に進み、一方、０回ではないと判定した場合には（Ｓ１６：ＮＯ）、Ｓ１７に進む。
【００６２】
Ｓ１７において、制御部２５ｂは、記憶部２５ａを参照することにより、有利区間（ハマリステージ）でのゲーム数がリミッタである１５００回に到達したか否かを判定する。制御部２５ｂは、ゲーム数がリミッタに到達したと判定した場合には（Ｓ１７：ＹＥＳ）、Ｓ１８に進み、一方、到達していないと判定した場合には（Ｓ１７：ＮＯ）、Ｓ１２からの処理を繰り返す。
【００６３】
Ｓ１８において、制御部２５ｂは、Ｓ１５で記憶部２５ａに記憶したハマリステージの滞在ゲーム数を０回に更新する。つまり、制御部２５ｂは、有利区間でのゲーム数がリミッタである１５００回（特定回数）に到達したことに基づいて（Ｓ１７：ＹＥＳ）、ハマリステージの滞在ゲーム数（特定値）を消去する。
【００６４】
Ｓ１９において、制御部２５ｂは、通常ステージに移行する。
これにより、制御部２５ｂは、ハマリステージからは通常ステージのみに移行し、擬似ボーナスステージには移行しないように制御することになる。このため、遊技者にとっては、通常ステージは、ハマリステージより有利な遊技状態となる。
【００６５】
また、これまでの処理によって、Ｓ１９に進む場合は、以下の２つである。
（１）滞在ゲーム数減算処理（Ｓ１５）によって、滞在ゲーム数が０回になった場合（Ｓ１６：ＹＥＳ）
（２）有利区間のリミッタに到達した場合（Ｓ１７：ＹＥＳ）
【００６６】
ここで、滞在ゲーム数抽選テーブル３４（図４参照）に示すように、ハマリステージの滞在期間の滞在ゲーム数の最大は、５００回であり、また、短縮抽選テーブル３６（図５参照）に示すように、ハマリステージ移行後には、ゲーム進行に応じて、１回以上の滞在ゲーム数が減算されていく。
このため、制御部２５ｂは、有利区間に関する処理として、Ｓ１３，Ｓ１７，Ｓ１８等を実行可能であるが、基本的には、ハマリステージ滞在中に、遊技が有利区間のリミッタである１５００回に到達することがないように制御する。つまり、遊技状態は、基本的に、上記（２）によって、ハマリステージから通常ステージに移行することはない。
このため、遊技状態は、基本的に、上記（１）によって、ハマリステージから通常ステージに移行することになる。このため、遊技者は、ハマリステージに移行後には、基本的に、できるだけ多くの短縮ゲーム数が当選可能な当選役（Ｓ１４参照）を狙って、遊技することになる。
【００６７】
（擬似ボーナスステージ）
擬似ボーナスステージ滞在中には、ＡＴ状態に制御される。
このため、制御部２５ｂは、各ゲームで押し順ベル役１〜６に当選した場合には、押し順の報知を行う。遊技者がこの報知に従って停止ボタン１５ａ〜１５ｃを操作することにより、制御部２５ｂは、ベル役に対応した図柄の組み合わせの停止表示を行い、そして、遊技者にメダルを付与する。
そのため、擬似ボーナスステージ滞在中は、遊技者にとっては、獲得メダルの増加を期待できる。
【００６８】
なお、制御部２５ｂは、擬似ボーナスステージ当選の次ゲームにおいて、ゲーム開始操作を受け付けたことに応じて、「赤７・赤７・赤７」の図柄の組み合わせを、一時的に（例えば５秒間等）、動停止する制御を行ってもよく、又は遊技者に対して、「赤７・赤７・赤７」の図柄の組み合わせを狙わせるゲームを実行してもよい。
これにより、スロットマシン１０は、遊技者に対して、擬似ボーナスステージへの移行が確定したことを報知できる。
【００６９】
図９（Ｂ）のフローチャートを参照しながら遊技の流れを説明する。
Ｓ２１において、制御部２５ｂは、擬似ボーナスステージに滞在することに応じて、有利区間ランプ１６を点灯に制御する。
これにより、スロットマシン１０は、遊技者に対して、現時点の遊技が、有利な状態であることを報知できる。
また、表示部１７等は、この遊技状態に対応した晴れの背景を表示する。
【００７０】
Ｓ２２，Ｓ２３の処理は、上記ハマリステージのＳ１２，Ｓ１３の処理と同様である。つまり、制御部２５ｂは、ゲーム進行に応じて、有利区間でのゲーム数の更新処理、擬似ボーナスステージ滞在中の滞在ゲーム数の更新処理等を行う。
【００７１】
Ｓ２４において、制御部２５ｂは、滞在ゲーム数減算処理を行う。
擬似ボーナスステージ滞在中の滞在ゲーム数減算処理では、１回のゲームごとに、滞在ゲーム数を１回分だけ減算する。
【００７２】
Ｓ２５において、制御部２５ｂは、１Ｇ連抽選テーブル３７（図５参照）を参照することにより、１Ｇ連抽選処理を行う。
本実施形態において、１Ｇ連とは、擬似ボーナスステージ終了後に、さらに擬似ボーナスステージに移行することにより、擬似ボーナスステージが連続されることである。１Ｇ連抽選処理は、この１Ｇ連の実行権利（「ストック」ともいう）を抽選により、遊技者に付与するか否かを決定する処理である。
１Ｇ連抽選テーブル３７に示すように、制御部２５ｂは、当該ゲームの当選役が、押し順ベル役１〜６、共通ベル役Ａ，Ｃ、チェリー役、スイカ役の何れかである場合に、ストックを付与するか否かを抽選する。また、その当選確率は、これらの当選役の順に高く、つまり、押し順ベル役１〜６が最も低く（１／２５５）、スイカ役が最も高い（３５／２５５）。
【００７３】
また、制御部２５ｂは、ストックの付与に当選した場合には、上記Ｓ３ａ，Ｓ４ａと同様に、当該ゲームの当選役に基づいて、その１Ｇ連に対応したハマリステージの滞在ゲーム数を抽選によって決定する。そして、制御部２５ｂは、ストック有りの情報、及びその滞在ゲーム数の情報を記憶部２５ａに記憶する。
共通ベル役Ｃの当選時におけるストックの付与の抽選について説明する。
図３の内部抽選テーブル３１に示すように、共通ベル役Ｃの当選は、設定差が設定されている。その当選確率は、設定差が高くなる程低く、つまり、設定１が最も高く（ＲＴ１、ＲＴ２において８５／６５５３５）、設定３が最も低い（ＲＴ１、ＲＴ２において５０／６５５３５）。このため、低設定の方が、１Ｇ連抽選に当選しやすいように制御される。
但し、これに対して、共通ベル役Ｂの当選確率は、設定差が高くなる程高く、つまり、設定１が最も低く（ＲＴ１、ＲＴ２において８５／６５５３５）、設定３が最も高い（ＲＴ１、ＲＴ２において１２０／６５５３５）。
このように、スロットマシン１０は、高設定である程、１Ｇ連抽選に当選しにくいものの、ハマリステージの滞在ゲーム数が短縮されやすくなっている。遊技者にとっては、高設定である程、総合的にはゲームがしやすく、有利である。
【００７４】
なお、１Ｇ連の抽選対象は、共通ベル役Ｃではなく、高設定の方が当選しやすい共通ベル役Ｂでもよい。この場合には、スロットマシン１０は、高設定の方が１Ｇ連抽選に当選しやすいように制御できる。
また、１Ｇ連のストック数は、１回の擬似ボーナスステージ滞在中にストックの付与が複数回当選した場合には、ストックを２以上付与してもよく、また、この場合には、１Ｇ連に基づく擬似ボーナスステージへの移行時（つまり擬似ボーナスステージの連荘時）に、所有ストックを持ち越しできるようにしてもよい。
【００７５】
さらに、スロットマシン１０は、ストックの付与が当選したことを、表示部１７等を利用して報知してもよい。なお、この報知は、種々の形態を例示できる。
例えば、制御部２５ｂ，２６ｂは、全ての当選役に基づくストックの付与の当選時に報知してもよい。
また、例えば、共通ベル役Ｂの当選に基づくストックの付与の当選時には報知せず、且つ、これ以外の当選役に基づくストックの付与の当選時には報知してもよい。この場合には、擬似ボーナスステージ滞在時にストックの付与の当選が報知されないときでも、擬似ボーナスステージ滞在時に共通ベル役に当選していれば、１Ｇ連が実行される期待を遊技者に持たせることができる。
【００７６】
Ｓ２６において、制御部２５ｂは、記憶部２５ａに記憶した滞在ゲーム数が０回であると判定した場合には（Ｓ２６：ＹＥＳ）、Ｓ２６ａに進み、一方、０回ではないと判定した場合には（Ｓ２６：ＮＯ）、Ｓ２７に進む。
Ｓ２６ａにおいて、制御部２５ｂは、記憶部２５ａを参照することにより、１Ｇ連のストックを有するか否かを判定する。制御部２５ｂは、ストック有りの場合には（Ｓ２６ａ：ＹＥＳ）、Ｓ２７に進み、一方、ストック無しの場合には（Ｓ２６ａ：ＮＯ）、Ｓ２９に進む。
【００７７】
Ｓ２７において、上記Ｓ１７と同様に、制御部２５ｂは、記憶部２５ａを参照することにより、有利区間（擬似ボーナスステージ）でのゲーム数がリミッタである１５００回に到達したか否かを判定する。制御部２５ｂは、ゲーム数がリミッタに到達したと判定した場合には（Ｓ２７：ＹＥＳ）、Ｓ２８に進み、一方、到達していないと判定した場合には（Ｓ２７：ＮＯ）、Ｓ２２からの処理を繰り返す。
【００７８】
この場面で、リミッタに到達せずに（Ｓ２７：ＮＯ）、Ｓ２２からの処理が繰り返される場合は、以下の２つである。
（１）擬似ボーナスステージの滞在ゲーム数を有し（Ｓ２６：ＮＯ）、且つ、リミッタに到達していない場合（Ｓ２７：ＮＯ）
（２）擬似ボーナスステージの滞在ゲーム数を消化し（Ｓ２６：ＹＥＳ）、１Ｇ連のストックを有し（Ｓ２６ａ：ＹＥＳ）、且つ、リミッタに到達していない場合（Ｓ２７：ＮＯ）
この場合には、遊技者は、１Ｇ連のストックを有する場合には、連続して擬似ボーナスステージでゲームできる。なお、この場合には、制御部２５ｂは、記憶部２５ａのストック数を１だけ減算してから、Ｓ２２からの処理を繰り返す。
【００７９】
Ｓ２８，Ｓ２９の処理は、ハマリステージの上記Ｓ１８，Ｓ１９の処理と同様である。
つまり、Ｓ２８において、制御部２５ｂは、有利区間のリミッタに到達したことに応じて（Ｓ２７：ＹＥＳ）、滞在ゲーム数を消去する処理を行う。
そして、Ｓ２９において、制御部２５ｂは、通常ステージに移行する。
【００８０】
これまでの処理により、擬似ボーナスステージ滞在中においても、擬似ボーナスステージから通常ステージに進む場合は、以下の２つの何れかである。
（１）滞在ゲーム数減算処理（Ｓ２４）によって、滞在ゲーム数が０回になり（Ｓ２６：ＹＥＳ）、且つ、ストック無しの場合（Ｓ２６ａ：ＮＯ）
ここで、Ｓ２４の処理によって、擬似ボーナスステージ滞在中の滞在ゲーム数は、ゲーム進行に応じて１つずつ減算されるので、一気に減算されることがない。このため、Ｓ３ａ，Ｓ４ａ、Ｓ２５で当選した滞在ゲーム数分のゲームを確実に実行可能であり、つまり消化できるので、遊技者にとって有利である。
【００８１】
（２）有利区間のリミッタに到達した場合（Ｓ２７：ＹＥＳ）
前述したように、ハマリステージ滞在中には、基本的にリミッタに到達することがないように制御されるが、これに対して、擬似ボーナスステージ滞在中には、リミッタに到達する場合がある。この場合は、１Ｇ連が複数回連続する場合である。
【００８２】
なお、制御部２５ｂは、擬似ボーナスステージの滞在ゲーム数が０回になった以降においても、所定条件が成立するまで、有利区間に継続して滞在するように制御してもよい。所定条件は、例えば、特定役（リプレイ役等）に当選すること、押し順ベル役１〜６当選時のゲームでこぼし目の図柄が停止表示すること等である。この場合には、擬似ボーナスステージの滞在ゲーム数が０回になった以降において、擬似ボーナスステージが継続している期待を、遊技者に持たせることができる。
【００８３】
以上説明したように、本実施形態のスロットマシン１０は、通常区間である通常ステージであっても、有利区間であるハマリステージよりも、遊技者に有利に制御できる。これにより、通常区間及び有利区間に意外性を持たせることができ、遊技の興趣を向上できる。
これに対して、特許文献１等の従来の遊技機は、遊技者に不利な遊技状態である場合には通常区間に制御され、遊技者に有利な遊技状態である場合には有利区間に制御にされる。このため、従来の遊技機は、一義的に、通常区間が不利な状態、有利区間が有利な状態と規定されるので、通常区間及び有利区間に意外性が無く、遊技の興趣の低下を招く可能性があった。
【００８４】
（変形形態）
以上、本発明の好ましい形態について説明したが、本発明は前述した実施形態にのみ限定されるものではなく、本発明の範囲で種々の変更実施が可能であることはいうまでもない。
なお、前述した実施形態の各構成及び後述する変形形態の各構成は、適宜組み合わせて用いることもできるが、詳細な説明は省略する。
（１）第１実施形態において、有利区間の終了条件は、ゲーム数管理である例を示したが、これに限定されない。制御部２５ｂは、有利区間の終了条件を、例えば、差枚数管理、払出枚数管理等としてもよい。また、制御部２５ｂは、有利区間の終了条件として、例えば、ゲーム数管理、差枚数管理及び払出枚数管理のうち２以上を設定した上で、有利区間を管理してもよい。
制御部２５ｂは、差枚数管理の場合には、擬似ボーナスステージ滞在中のメダル投入数及びメダル払い出し数をカウントしこれらの差枚数を管理すればよく、また、擬似ボーナスステージ滞在中の払出枚数管理の場合にはメダル払い出し数をカウントすればよい。
この場合には、有利区間のリミッタ（特定数）として、差枚数又は払出枚数を、例えば、２４００枚等と設定できる。
制御部２５ｂは、差枚数管理の場合には、差枚数が有利区間のリミッタに到達することに基づいて、記憶部２５ａに記憶されている擬似ボーナスステージの滞在ゲーム数を消去すればよい。また、制御部２５ｂは、払出枚数管理の場合には、払出枚数が有利区間のリミッタ（特定数）に到達することに基づいて、記憶部２５ａに記憶されている擬似ボーナスステージの滞在ゲーム数（特定値）を消去すればよい。その後、制御部２５ｂは、有利区間である擬似ボーナスステージから、通常区間である通常ステージに移行すればよい。なお、制御部２５ｂは、有利区間終了時には、有利区間におけるゲーム数（カウント数）、差枚数等を消去する。
これらの場合であっても、実施形態と同様な効果を奏する。つまり、ハマリステージ滞在中には、リミッタ到達前に通常ステージに移行する遊技を実行できること、また、擬似ボーナスステージ滞在中には、１Ｇ連が連続することにより、リミッタ到達するまでの遊技を実行できること等の効果を奏する。
【００８５】
（２）第１実施形態において、制御部２５ｂは、ハマリステージ滞在中には、非ＡＴ状態に制御する例を示したが、これに限定されない。制御部２５ｂは、ハマリステージ滞在中には、ＡＴ状態に制御してもよい。この場合には、例えば、押し順ベル役１〜６当選時の押し順報知の発生率を、擬似ボーナスステージの方がハマリステージよりも高くなるように制御すればよい（例えば、前者を１００％、後者を２０％等）。これにより、擬似ボーナスステージをハマリステージよりも有利な遊技状態に位置付けることができるので、実施形態と同様な効果を奏する。
なお、ハマリステージをＡＴ状態にする場合には、実施形態で説明したように、滞在ゲーム数が０回になった以降においても、所定条件が成立するまで、有利区間に継続して滞在するように制御してもよい。
【００８６】
（３）第１実施形態において、各ステージの種別は、それぞれ１つである例を示したが、これに限定されない。
例えば、通常ステージを複数種類設け、種類ごとに背景画像等の演出態様を異ならせてもよい。この場合には、通常ステージを華やかに演出できる。
また、ハマリステージの種別は、短ハマリステージと、これよりも相対的に滞在期間が長い長ハマリステージとを有してもよい。この場合には、ハマリステージの種別に基づいて、通常ステージへの復帰し易さに優劣を設けることができる。
この場合、長ハマリステージへの移行抽選時には、滞在ゲーム数が３００回及び５００回しか選択されないテーブル（例えば、３００回及び５００回の各選択率が５０％ずつ）を参照し、一方、短ハマリステージへの移行抽選時には、滞在ゲーム数抽選テーブル３４（図４参照）を参照することで、短ハマリステージの方がハマリステージの滞在期間が相対的に短くなるように制御してもよい。
さらに、擬似ボーナスステージの種別は、短擬似ボーナスステージと、これよりも相対的に滞在期間が長い長擬似ボーナスステージとを有してもよい。この場合には、擬似ボーナスステージの種別に基づいて、払出枚数の数量に優劣を設けることができる。
この場合には、長擬似ボーナスステージへの移行抽選時には、滞在ゲーム数抽選テーブル３４，３５（図４参照）を参照し、一方、短擬似ボーナスステージへの移行抽選時には、滞在ゲーム数が３０回及び１００回しか選択されないテーブル（例えば、３０回の選択率が９５％、１００回の選択率が５％）を参照することで、長擬似ボーナスステージの方が擬似ボーナスステージの滞在期間が相対的に長くなるように制御してもよい。
【００８７】
（４）第１実施形態において、擬似ボーナスステージが連荘することにより有利区間のリミッタに到達した場合に、リミッタに到達した時点で強制的に擬似ボーナスステージを終了させ、通常ステージに移行させる例を示したが、これに限定されない。
例えば、制御部２５ｂは、擬似ボーナスステージが連荘することにより有利区間の継続ゲーム数が所定ゲーム数（リミッタである１５００回等よりも少ない数であり、例えば１４００回等）に到達したことに応じて、リミッタ到達まで継続するエンディング擬似ボーナスステージに制御してもよい。
また、前述したように差枚数管理、払出枚数管理である場合は、制御部２５ｂは、有利区間中の獲得数が所定数（例えば、リミッタである２４００枚等よりも少ない数であり、例えば２２００枚等）に到達したことに応じて、リミッタ到達まで継続するエンディング擬似ボーナスステージに制御してもよい。
【００８８】
（５）第１実施形態において、擬似ボーナスステージに当選した場合には、次ゲームから擬似ボーナスステージに制御可能である例を示したが、これに限定されない。
例えば、擬似ボーナスステージに当選した場合には、前兆ゲーム数を実行後に、擬似ボーナスステージに制御可能にしてもよい。
この場合には、制御部２５ｂは、例えば、擬似ボーナスステージ当選時において、前兆ゲーム数として、０回、８回、１６回、３２回（例えば、当選率がこの順に５０％、３０％、１０％、１０％）のなかから何れかを抽選により選択すればよい。そして、制御部２５ｂは、その前兆ゲームを消化後に、３０回以上の擬似ボーナスステージを実行すればよい。
スロットマシン１０は、このような前兆ゲームを有することにより、有利区間に移行する当選役に当選後、即座に擬似ボーナスステージに制御されない場合でも、擬似ボーナスステージに当選している可能性があるといった遊技性を有する。これにより、有利区間に移行する当選役に当選後において、遊技者に対して、遊技を継続するように促すことができる。
【００８９】
（６）第１実施形態において、遊技状態は、ハマリステージから擬似ボーナスステージに移行しない例を示したが、これに限定されない。遊技状態は、ハマリステージから擬似ボーナスステージに移行してもよい。
この場合には、例えば、制御部２５ｂは、ハマリステージ滞在中に擬似ボーナスステージへの移行抽選を行い、当該移行抽選に当選したときに、ハマリステージの滞在ゲーム数を消化後、擬似ボーナスステージに制御するようにしてもよい。
この場合でも、制御部２５ｂは、当該移行抽選の当選確率の設定に基づいて、ハマリステージから擬似ボーナスステージに移行する確率よりも高くなるように制御できる。
【００９０】
また、例えば、ハマリステージ滞在中の短縮ゲーム数抽選処理（Ｓ１４）、短縮ゲーム数減算処理（Ｓ１５）により、滞在ゲーム数が０回以下になる場合（例えば、滞在ゲーム数１０回の時点で短縮ゲーム数２０回が当選することにより、滞在ゲーム数が−１０回になる場合等）に、ハマリステージから擬似ボーナスステージに移行するようにしてもよい。この場合には、余分な短縮ゲーム数が無駄にならないので、遊技者に有利である。
このような場合でも、制御部２５ｂは、滞在ゲーム数に対応した短縮ゲーム数の当選確率を設定すること等によって、通常ステージから擬似ボーナスステージへの移行確率の方が、ハマリステージから擬似ボーナスステージへ移行確率よりも高くなるように制御できる。
これらの形態であっても、第１実施形態と同様に、通常区間である場合の方が、有利区間であるハマリステージよりも有利な状態に位置付けされる。これにより、スロットマシン１０は、通常区間及び有利区間に意外性を持たせることができるので、遊技の興趣を向上させることができる。
【００９１】
（７）第１実施形態において、擬似ボーナスステージ及びハマリステージにおいて選択され得る滞在ゲーム数は３０〜５００回であり、共通である例を示したが、これに限定されない。擬似ボーナスステージでは、３００回及び５００回が選択されない等、選択され得るゲーム数を、擬似ボーナスステージ及びハマリステージ間で異ならせてもよい。
（８）第１実施形態において、共通ベル役Ｂの当選確率が高設定程高いため、結果として高設定の方が、短縮抽選に当選し易いように制御される例を示したが、これに限定されない。
抽選対象を、共通ベル役Ｂではなく、低設定の方が当選し易い共通ベル役Ｃとすることで、低設定の方が、短縮抽選に当選し易いように制御してもよい。
【００９２】
（９）第１実施形態において、押し順ベル役１〜６当選時に、有利区間ランプ１６は、押し順を報知する遊技を開始する遊技で点灯するため、ハマリステージ滞在中には常に消灯するように制御される例を示したが、これに限定されない。有利区間ランプ１６は、ハマリステージ滞在中において点灯されるように制御されてもよい。
（１０）第１実施形態において、有利区間滞在中には、ゲーム進行に応じて、滞在ゲーム数（特定値）を減少させる形態、つまりカウントダウンする形態を示したが、これに限定されない。
有利区間滞在中には、ゲーム進行に応じて、滞在ゲーム数（特定値）を０回から更新させることにより増加させる形態、つまりカウントアップする形態でもよい。この場合には、制御部２５ｂは、滞在ゲーム数（特定値）が、Ｓ３ａ、Ｓ４ａ又はＳ２５の抽選処理によって決定された滞在ゲーム数（終了値）に到達することにより、通常区間に移行する制御をすればよい。
（１１）第１実施形態において、表示部１７等の演出は、通常ステージ、ハマリステージで異なる例を示したが、これに限定されない。両者の演出は、同一でもよい。
この場合には、遊技者は、現時点の遊技状態が、通常ステージ、ハマリステージの何れかであるかを区別しにくい。このため、スロットマシン１０は、ハマリステージに滞在中における遊技者の遊技意欲の低下を抑制できる。
【００９３】
（１２）第１実施形態では、遊技状態制御手段等の各種手段としての動作を主制御基板の制御部が行ったが、副制御基板の制御部がその一部又は全部を行い、副制御基板の制御部が各種手段として動作することもできる。
また、反対に、副制御基板の制御部が各種手段として実行する動作を、主制御基板の制御部がその一部又は全部を行い、主制御基板の制御部が各種手段として動作することもできる。
すなわち、スロットマシン１０は、種々の機能を、仕様等に応じて２つの制御部に分担してもよく、また、各制御部に対応した各記憶部を備えていればよい。また、２つの制御部、２つの記憶部は、それぞれ１つの制御部、１つの記憶部であってもよい。
【００９４】
（１３）第１実施形態では、遊技機は、スロットマシンである例を示したが、これに限定されない。遊技機は、例えば、パチンコ（例えば、玉スロ）等その他の遊技装置であってよい。
また、遊技機は、メダル、遊技球等の現物の遊技媒体を用いることなく、データ形式の擬似遊技媒体を用いてゲームを実行可能な、いわゆる封入式遊技機でもよい。
【００９５】
（第２実施形態）
次に、本発明に係る遊技機の第２実施形態について、図１０〜図２７を参照して説明する。
【００９６】
まず、図１０を参照して、第２実施形態におけるスロットマシン１００１の全体構成を説明する。図１０に示すように、スロットマシン１００１は、筐体（図示省略）に軸着され、筐体の開口部を開閉可能に覆う前扉１００１ａを備えている。
前扉１００１ａの上部には、中央に開口窓部が形成された表示器前面枠１０１７が備えられている。表示器前面枠１０１７の後方には、例えば、液晶表示器から構成され、遊技に応じた表示による演出や各種報知情報など、複数の情報を表示可能な表示手段としての表示器１００８が備えられている。この表示器１００８は、表示領域が表示器前面枠１０１７の開口窓部から前方に臨んだ状態で配設されている。表示器１００８の左右には、音による演出や報知を行うスピーカ１００９と、発光による演出や報知を行うランプ１０１１が備えられている。
【００９７】
また、表示器１００８の一側方（正面視右側）には、例えば、液晶表示器から構成され、表示器１００８と同様に遊技に応じた表示による演出や情報表示を行う補助装置として例示する補助表示器１０１９が隣設されている。また、補助表示器１０１９の下方には、遊技者が操作可能な補助装置として例示する上部演出ボタン１００２ｆ（特定操作手段）が備えられている。この上部演出ボタン１００２ｆは、遊技者が前後方向に押圧操作可能に構成されている。
【００９８】
一方、表示器１００８の他側方（正面視左側）には、モータ等の電気的駆動源（図示省略）の作動により動作する補助装置として例示する可動役物装置１０１８が隣設されている。可動役物装置１０１８は、表示器前面枠１０１７の後方に配されていて、可動役物装置１０１８には電気的駆動源の作動により動作する可動役物１０１８ａが備えられている。この可動役物１０１８ａは、常態（第１状態）では、表示器前面枠１０１７に隠れて前方から視認不能になっているが、電気的駆動源の作動により可動役物１０１８ａの一部が、表示器１００８の表示領域の前方に突出して、前方から視認可能な状態（第２状態）に変換される。なお、以下、スロットマシン１００１を正面視した状態で左右方向を示す。
【００９９】
前扉１００１ａの中央部には、装飾のための絵柄等が描かれた前面パネル１０１４が配され、この前面パネル１０１４の中央部には、後方を視認可能な（例えば、透明の）表示窓１００６が形成されている。この表示窓１００６を透して、筐体に備えられたリール１０４１の図柄を視認可能にしている。
また、表示窓１００６の上方には、遊技者に停止ボタン１００５の操作順序をナビゲートするナビランプ１０１２が備えられている。また、表示窓１００６の下方には、遊技状態が後述するＡＲＴ等の遊技者にとって有利な特定遊技状態である旨を報知する有利区間ランプ１０１３が備えられている。
【０１００】
前面パネル１０１４の下方には、前側に突出する段部が形成されており、この段部の上面には、メダルセレクタ１００２ｂ（図１１参照）の上流側に位置してメダルを投入するメダル投入口１００２と、ゲームの開始に際して遊技者の押下操作によりベット数を設定するベットボタン１００２ａと、ゲームの進行には影響を及ぼさないが、遊技者による押下操作により、表示器１００８における画像演出等に変化を与えることが可能な演出ボタン１００２ｄが備えられている。
【０１０１】
演出ボタン１００２ｄは、上部演出ボタン１００２ｆよりも当該スロットマシン１００１で遊技する遊技者（遊技者の手）に近い位置に配設されている。したがって、上部演出ボタン１００２ｆを遊技者が操作する際には、演出ボタン１００２ｄよりも操作する手を伸ばす必要がある。
なお、上部演出ボタン１００２ｆの操作性を向上させるために、上部演出ボタン１００２ｆをスロットマシン１００１の最前方となる位置に配設するようにしてもよい。例えば、スロットマシン１００１を左側方側から見た場合に、上部演出ボタン１００２ｆの前端部が、他のどの構成物よりも最も右側に突出するように配設するのである。
【０１０２】
段部の下方には、遊技者がゲームを開始する際に操作するスタートレバー１００３と、遊技者がリール１０４１を停止する際に押下操作する停止ボタン１００５が備えられている。
また、前扉１００１ａの下部には、メダルが払い出されるメダル払出口１００７ｂが備えられている。
【０１０３】
筐体の上部には、遊技を統括的に制御する主制御部１０１０と、この主制御部１０１０の制御下で遊技の演出等に関する制御を行う副制御部１０２０とが備えられている。
また、筐体のほぼ中央部には、リール１０４１を回転駆動させるドラムユニット１００４が備えられている。また、ドラムユニット１００４は、リール１０４１は、リール１０４１ａ、リール１０４１ｂ、リール１０４１ｃが水平方向に並設されて構成されていて、これらリール１０４１ａ〜１０４１ｃは、ステッピングモータ（図示略）の駆動によりそれぞれ回転可能に構成されている。また、各リール１０４１ａ〜１０４１ｃの外周面には、所定の配列に従って複数の図柄（識別情報）が配されていて、リール１０４１の停止状態において、各リール１０４１ａ〜１０４１ｃについて、連続する所定数（例えば、３つ）の図柄が表示窓１００６を透して視認可能となっている。
【０１０４】
また、前扉１００１ａの下部には、メダルの払い出しを行うメダル払出装置１００７が備えられ、このメダル払出装置１００７から払い出されたメダルはメダル払出口１００７ｂを介して遊技者に払い出される。
【０１０５】
筐体の上部には、遊技を統括的に制御する主制御部１０１０と、この主制御部１０１０の制御下で遊技の演出等に関する制御を行う副制御部１０２０を備えている。
また、筐体の中央部には、リール１０４１を回転駆動させるドラムユニット１００４を備えている。ドラムユニット１００４は、水平方向に並設されるリール１０４１ａ、リール１０４１ｂ、リール１０４１ｃを備え、これらリール１０４１ａ〜１０４１ｃがステッピングモータ（図示省略）の駆動によりそれぞれ回転可能に構成されている。また、各リール１０４１ａ〜１０４１ｃの外周面には、所定の配列に従って複数の図柄（識別情報）が表され、リール１０４１の停止状態において、各リール１０４１ａ〜１０４１ｃについて、連続する所定数（例えば、３つ）の図柄が表示窓１００６を透して視認可能となっている。
各リール１０４１ａ〜１０４１ｃには、例えば、「リプレイ」、「ベル」、「スイカ」、「チェリー」、「７」などの図柄がそれぞれ表されている。
また、筐体の下部には、メダルの払い出しを行うメダル払出装置１００７を備え、このメダル払出装置１００７から払い出されたメダルはメダル払出口１００７ｂを介して遊技者に払い出される。
【０１０６】
次に、図１１を参照して、スロットマシン１００１の制御構成について説明する。
図１１に示すように、スロットマシン１００１には、遊技を統括的に制御する主制御部１０１０と、主制御部１０１０からの制御情報に基づき、表示器１００８等の制御を行う副制御部１０２０を備えている。
【０１０７】
主制御部１０１０は、抽選手段の一例であり、各種演算処理等を行うＣＰＵ（図示省略）と、制御プログラムや制御データ等が格納されたＲＯＭ（図示省略）と、各種データを一時記憶する記憶領域やＣＰＵの作業領域等を備えた記憶手段としてのＲＡＭ（図示省略）等が備えられている。また。ＲＡＭの記憶情報をバックアップする機能が備えられている。
また、主制御部１０１０には、ベットボタン１００２ａ、メダルセレクタ１００２ｅ、スタートレバー１００３、停止ボタン１００５（停止ボタン１００５ａ〜１００５ｃ）、確率設定装置１０１５が接続され、各機器に内蔵されたセンサからの信号を入力可能に構成されている。
【０１０８】
また、主制御部１０１０は、ベットボタン１００２ａからの信号に基づき、ベット数の設定処理を行う。また、主制御部１０１０は、ベット数の設定後、ゲームの開始条件として、スタートレバー１００３からの信号に基づき、ゲームの開始処理や、乱数発生器（図示省略）からの乱数をサンプリングする処理等を行う。そして、主制御部１０１０は、サンプリングされた乱数に基づき、ＡＲＴ状態の抽選等の内部抽選処理を行う。
【０１０９】
確率設定装置１０１５は、外部操作により、ボーナス役の当選確率値を変更するもので、主制御部１０１０は、確率設定装置１０１５からの信号に基づき、確率値の最も低い設定１から、確率値の最も高い設定６の６段階の設定値の何れかに設定する処理を行う。
【０１１０】
また、主制御部１０１０には、ドラムユニット１００４、メダル払出装置１００７、有利区間ランプ１０１３、副制御部１０２０が接続され、各機器に対して信号を出力可能に構成されている。
主制御部１０１０は、停止ボタン１００５からの信号に基づき、回転しているリール１０４１ａ〜１０４１ｃを停止させる処理を行う。
【０１１１】
また、主制御部１０１０は、ゲームの終了時におけるメダルの払い出し条件の成立等に基づき、メダル払出装置１００７を駆動させてメダルを払い出す処理を行う。
また、有利区間ランプ１０１３は、例えば、ＬＥＤで構成され、主制御部１０１０は、ＡＲＴ状態等の遊技者にとって有利な遊技状態が発生した場合に（有利区間中）、有利区間ランプ１０１３を点灯させる処理を行う。また、有利区間ランプ１０１３は、例えば、７セグの「ドット」部分等でもよい。
【０１１２】
副制御部１０２０は、各種演算処理等を行うＣＰＵ（図示省略）と、制御プログラムや制御データ等が格納されたＲＯＭ（図示省略）と、各種データを一時記憶する記憶領域やＣＰＵの作業領域等を備えたＲＡＭ（図示省略）等が備えられている。また。ＲＡＭの記憶情報をバックアップする機能が備えられている。
【０１１３】
また、副制御部１０２０は、表示器１００８、スピーカ１００９、ランプ１０１１、ナビランプ１０１２が接続されることにより、各機器に対して信号を出力可能に構成され、主制御部１０１０からの一方向のみで送信される制御情報に基づき、表示器１００８において所定の演出の画像処理や、各種演出や報知を行うためのスピーカ１００９の出力処置や、ランプ１０１１の点灯処理等を行う。
また、ナビランプ１０１２は、例えば、ＬＥＤで構成され、副制御部１０２０は、主制御部１０１０からの制御情報に基づき、ＡＲＴ状態等の遊技状態の発生中に、停止ボタン１００５の操作順序をナビゲート（押し順ナビ）するためのナビランプ１０１２の点灯処理を行う。
【０１１４】
また、副制御部１０２０は、演出ボタン１００２ｄ及び上部演出ボタン１００２ｆの各々に内蔵されたセンサからの信号を入力可能に構成され、演出ボタン１００２ｄ及び上部演出ボタン１００２ｆからの信号に基づき、表示器１００８で行われている画像演出に変化を与える画像処理を行う。
また、演出ボタン１００２ｄ及び上部演出ボタン１００２ｆの各々には、ＬＥＤが内蔵され、演出ボタン１００２ｄ及び上部演出ボタン１００２ｆに内蔵されたＬＥＤを発光させて、演出ボタン１００２ｄ及び上部演出ボタン１００２ｆの操作が有効であることを報知する処理を行う。
【０１１５】
また、スロットマシン１００１では、スロットマシン遊技に同期した遊技演出も行われる。例えば、ＡＲＴ状態への移行を示す画像演出、ファンファーレ音、及びランプ演出などがそれぞれ、表示器１００８、スピーカ１００９、ランプ１０１１、及びナビランプ１０１２などの報知手段を介して出力される。
【０１１６】
このような演出表示や報知は、副制御部１０２０により制御されるが、副制御部１０２０は、主制御部１０１０から所定の遊技タイミングごとに受信する制御情報に基づいてこれらの制御を行うことから、演出表示や報知は、主制御部１０１０及び副制御部１０２０により制御されることにもなる。
したがって、主制御部１０１０及び副制御部１０２０は、演出制御手段、操作画像制御手段、表示位置制御手段、操作指示画像制御手段を構成する。なお、演出制御手段、操作画像制御手段、表示位置制御手段、操作指示画像制御手段を主制御部１０１０或いは副制御部１０２０のうちの何れか一方で構成してもよい。
【０１１７】
このようなスロットマシン１００１は、主制御部１０１０による制御により、以下のようなスロットマシン遊技を実行可能に構成されている。
【０１１８】
ゲームの開始にあたり、メダル投入口１００２からのメダルを投入、或いはベットボタン１００２ａの操作によりクレジットメダルからベット数の設定を行う。
そして、ベット数が所定数（例えば、３枚）になったときに、ゲームの開始条件の一つが成立して、１回のゲームを実行可能な権利を保有するゲーム開始可能な状態となる。
【０１１９】
このゲーム開始可能な状態では、スタートレバー１００３の操作が有効な状態となる。この有効な状態において、スタートレバー１００３が傾動操作されると、ゲームの開始条件の全てが成立して、ゲームが開始され、複数の図柄の表されたリール１０４１ａ〜１０４１ｃが変動を開始するとともに、リプレイ役、小役、ボーナス役などの複数の当選役（はずれを含む）の中から今回ゲームの抽選結果をリール１０４１の停止前に事前に決定する内部抽選処理が実行される。
内部抽選処理では、複数の当選役の中から今回ゲームの当選役を所定の当選確率に基づいて抽選により決定する。
【０１２０】
各リール１０４１ａ〜１０４１ｃは、表示手段の一例であり、各リール１０４１ａ〜１０４１ｃの周面には、複数の図柄が所定の配列で表されており、停止状態から徐々に回転速度を上げた後、一定の速度で回転する定常回転に達する。
このような定常回転に達すると、各リール１０４１ａ〜１０４１ｃに対応して設けられた停止ボタン１００５ａ〜１００５ｃが押圧操作可能な状態となる。
【０１２１】
この状態で各停止ボタン１００５ａ〜１００５ｃが押圧操作されると、その操作タイミングと内部抽選処理の抽選結果とにより許容される図柄の組合せで停止するように、各リール１０４１ａ〜１０４１ｃが停止制御される。
【０１２２】
停止状態では、リール１０４１ａ〜１０４１ｃそれぞれに表された上下方向に連続する３つの図柄が表示窓１００６から機外に臨むように停止（停止表示ということもある）し、このときの停止表示態様に基づいて入賞の有無が判定される。
入賞の判定は、表示窓１００６内の上・中・下段のライン、右下がりのライン、右上がりのラインの計５ラインいずれかの入賞ライン上に停止した図柄の組合せに基づいて判定される。
【０１２３】
小役、リプレイ役、ボーナス役等などの当選役の入賞は、このような入賞ライン上の図柄の組合せに基づいて判定される。
小役には、例えば、ベル役、スイカ役、チェリー役がある。
【０１２４】
ベル役には、対応する図柄の組合せがそれぞれ異なる二つのベル役が設けられている。例えば、対応する図柄の組合せを、入賞ライン上の「左リール１０４１ａ・中リール１０４１ｂ・右リール１０４１ｃ」の順（以下同様）に、それぞれ「ベル・リプレイ・ベル」とする共通ベル役と、「ベル、ベル、ベル」とする押し順ベル役を設けることができる。
【０１２５】
共通ベル役は、停止ボタン１００５ａ〜１００５ｃに対する操作順序（押し順という）に関係なく対応する図柄の組合せ（「ベル・リプレイ・ベル」）が停止する小役で、押し順ベル役は、特定の押し順に従うことにより対応する図柄の組合せ（特定態様、「ベル・ベル・ベル」）が停止する小役である。
【０１２６】
さらに、押し順ベル役には、６通りある押し順（例えば、「１００５ａ→１００５ｂ→１００５ｃ」，「１００５ｃ→１００５ｂ→１００５ａ」など）のうちの１通りの押し順（特定の押し順）によって、停止ボタン１００５ａ〜１００５ｃが操作されることで、特定態様として、対応する図柄の組合せ（「ベル・ベル・ベル」）が停止表示される６つの押し順ベル役１〜６が設けられている。このような押し順ベル役１〜６は、他の５通りの押し順（特定の押し順以外の押し順）によって停止ボタン１００５ａ〜１００５ｃが操作されると、対応する図柄の組合せ（「ベル・ベル・ベル」）が停止表示されず、「ベル・ベル・リプレイ」などの他の図柄の組合せ（「ベルこぼし目」という）が停止表示されることになる。
【０１２７】
なお、押し順ベル役に当選したときに、２、３番目に操作する停止ボタン１００５を問わず、最初に操作する停止ボタン１００５のみが特定の押し順に従っていれば、押し順ベル役に対応する図柄の組合せが停止するようにリール１０４１の停止制御を行うこともできる。また、押し順ベルは、６通りに限らず、３通りの押し順ベル１〜３を設けてもよい。
【０１２８】
スイカ役は、対応する図柄の組合せを「スイカ・スイカ・スイカ」とする小役（レア役）であり、「スイカ・スイカ・スイカ」が上段ライン若しくは下段ラインに停止する弱スイカ役と、「スイカ・スイカ・スイカ」が右上がりライン若しくは右下がりラインに停止する強スイカ役とがある。
チェリー役は、対応する図柄の組合せを「チェリー・ＡＮＹ・ＡＮＹ」とする小役（レア役）であり、「チェリー」が左リール１０４１ａの上段又は下段に停止する弱チェリー役と、「チェリー」が左リール１０４１ａの中段に停止する強チェリー役とがある。
【０１２９】
リプレイ役には、対応する図柄の組合せがそれぞれ異なる２つのリプレイ役が設けられ、対応する図柄の組合せを、「リプレイ・リプレイ・リプレイ」とする通常リプレイ役（以下、リプレイ役と称する）と、「リプレイ・ベル・ベル」とするチャンスリプレイ役（チャンス役）とが設けられている。
「リプレイ・ベル・ベル」（チャンス目）は、チャンスリプレイ役の当選時に停止表示する図柄の組合せであり、スイカ役及びチェリー役とともに、内部抽選処理において当選確率が比較的低い、所謂レア役として設定されている。
【０１３０】
また、リプレイ役には、停止ボタン１００５ａ〜１００５ｃに対する操作順序（押し順）として６通りある押し順のうちの１通りの押し順によって、「リプレイ・リプレイ・リプレイ」に対応する図柄の組合せが停止する押し順リプレイ役が設けられている。押し順リプレイ役は、６通りある押し順それぞれに対応する押し順リプレイ役１〜６を設けるとともに、各押し順リプレイ役１〜６に当選したときのそれぞれに対応する押し順の報知は、ＡＲＴ状態中（ＡＴ状態中も含む）に行われる。
【０１３１】
また、リプレイ役には、非ＲＴ（リプレイ当選低確率状態）からＲＴ（リプレイ当選高確率状態）への移行に係る図柄の組合せに対応する昇格リプレイ役、ＲＴから非ＲＴへの移行に係る図柄の組合せに対応する転落リプレイ役もある。これらの当選役についても押し順が対応付けられ、例えば、昇格リプレイ役に関しては、６通りある押し順のうちの１通りの押し順によって非ＲＴからＲＴへの移行に係る昇格リプレイ役に対応する図柄の組合せが停止し、転落リプレイ役に関しては、６通りある押し順のうちの５通りの押し順によってＲＴから非ＲＴへの移行に係る転落リプレイ役に対応する図柄の組合せが停止する。
【０１３２】
また、ボーナス役は、対応する図柄の組合せ（特別態様）を「７・７・７」とするもので、遊技者にとって有利なボーナス状態を発生させる特別役である。
ボーナス役に当選した場合には、ボーナス役の当選状態は、対応する図柄の組合せが停止するまで持ち越される。
【０１３３】
以上説明したような図柄の組合せに基づいて、小役、リプレイ役、ボーナス役の当選がそれぞれ判定され（判定手段）、判定の結果、その図柄の組合せが上記それぞれに対応する図柄の組合せであるときに、入賞が成立して各入賞の成立に応じた遊技価値が付与される。
例えば、ベル役、チェリー役、スイカ役などの小役に対応する図柄の組合せの停止により、小役入賞の成立が判定され、メダル払出装置１００７が駆動制御されることにより、メダル払出口１００７ｂを介して所定数のメダルが払い出される。
【０１３４】
具体的には、ベル役（共通ベル役、押し順ベル役）において、対応する図柄の組合せが停止表示した場合には、８枚のメダルが払い出される。
また、押し順ベル役の当選時に、特定の押し順以外の押し順（５通りの押し順）で停止ボタン１００５ａ〜１００５ｃを操作したときには、メダルは払い出されない。
なお、ベル役については、ＡＲＴ状態中において、遊技者が保有するメダルが増加するような当選確率に設定されている。
【０１３５】
また、弱スイカ役及び強スイカ役に対応する図柄の組合せが停止表示した場合には、２枚のメダルが払い出される。
また、弱チェリー役及び強チェリー役に対応する図柄の組合せが停止表示した場合には、１枚のメダルが払い出される。
なお、各役に対応する図柄の組合せが停止表示した場合に払い出されるメダルの数は、上記した枚数以外でもよい。
【０１３６】
また、リプレイ役及びチャンスリプレイ役に対応する図柄の組合せの停止表示により、リプレイ役及びチャンスリプレイ役が判定され、次回ゲームにおいてメダルの投入を行うことなく、前ゲームで設定したベット数と同様のベット数でのゲームが可能となる。
また、昇格リプレイ役に対応する図柄の組合せの停止により、リプレイ役の当選確率が高められるＲＴに移行し、ＲＴ中に転落リプレイ役に対応する図柄の組合せの停止により、非ＲＴに移行する。
【０１３７】
また、ボーナス役に対応する図柄の組合せ（特別態様）の停止表示により、遊技者に有利なボーナス状態（特定遊技状態）に移行する。
ボーナス状態中は、所定の小役（例えば、共通ベル役）に高確率で当選する状態となり、メダルの払い出し数が所定数（例えば、メダル２００枚）を超えると終了する。
【０１３８】
また、ボーナス役を除く各役の当選確率は、各設定値において、ベル役＞リプレイ役＞弱チェリー役＞弱スイカ役＞チャンスリプレイ役＞強チェリー役＞強スイカ役の関係性、つまり、ベル役が最も当選し易く、強スイカ役が最も当選し難く設定されているものとする。また、ボーナス役は、小役やリプレイ役よりも当選確率が低く設定される。なお、ボーナス役を除く各役の当選確率の関係性は、上記したもの以外でもよく、特にＲＴ中には、リプレイ役＞ベル役＞弱チェリー役＞弱スイカ役＞チャンスリプレイ役＞強チェリー役＞強スイカ役の関係性となるようにしてもよい。
また、弱チェリー役、弱スイカ役、チャンスリプレイ役、強チェリー役、強スイカ役は、当選し難い当選役という意味でレア役と称する。
【０１３９】
第２実施形態に係るスロットマシン１００１は、このような構成に加えて、以下のような遊技状態と、この遊技状態に基づく特徴的なゲーム性を備えている。
まず、主制御部１０１０のシステムリセット時には、遊技状態が通常遊技状態で制御され、この遊技状態において、抽選手段としての主制御部１０１０における各役の抽選が行われる。
【０１４０】
通常遊技状態において、ボーナス役に当選した場合には、遊技状態がボーナス当選状態に移行して、ボーナス役に対応する図柄の組合せを許容するようにリール１０４１の制御が行われる。
第２実施形態のスロットマシン１００１においては、ボーナス役は、所定の小役（例えば、弱チェリー役、弱スイカ役、チャンス役、強チェリー役、強スイカ役）と同時に当選（重複当選）する場合と、単独で当選する場合を設けているが、ボーナス役を重複当選するもののみとしてもよいし、単独当選するもののみとしてもよい。
ボーナス当選状態において、ボーナス役に対応する図柄の組合せがリール１０４１に停止した場合には、特典の付与として遊技状態はボーナス状態に移行する。
【０１４１】
ボーナス状態中は、所定の小役（例えば、共通ベル役）の当選確率が通常遊技状態よりも高められ、短期間に多数のメダルが獲得可能となる。そして、ボーナス状態中に所定枚数を超えるメダルの払い出しが行われた場合に、ボーナス状態の終了条件が成立して、ボーナス状態が終了する。
ボーナス状態の終了により、遊技状態は通常遊技状態に移行する。
【０１４２】
また、第２実施形態のスロットマシン１００１においては、遊技者にとって有利な遊技状態（特典）として、ボーナス状態の他に、ＡＲＴ状態（特定遊技状態）を発生可能としている。
ＡＲＴ状態は、リプレイ役の当選確率が通常遊技状態よりも高められ、さらに、押し順ベル役に対応する図柄の組合せをリール１０４１に停止させるための停止ボタン１００５の停止順序が、報知手段（表示器１００８、ナビランプ１０１２、スピーカ１００９）により報知（押し順ナビ）される遊技状態である。
また、ＡＲＴ状態中は、転落リプレイ役に対応する図柄の組合せが停止しないような押し順ナビも行われる。
【０１４３】
ＡＲＴ状態の抽選は、抽選手段としての主制御部１０１０に行われるが、役の抽選とは個別に行われる。
主制御部１０１０は、所定のレア役の当選時に、ゲーム実行毎に予め取得しているＡＲＴ状態発生用の乱数を判定することで、ＡＲＴ状態の抽選を実行する。
例えば、弱チェリー役の当選時には１／２０の確率でＡＲＴ状態を発生させ、チャンス役の当選時には１／５の確率でＡＲＴ状態を発生させ、強チェリー役の当選時には１／３の確率でＡＲＴ状態を発生させるようにしている。
【０１４４】
また、主制御部１０１０は、所定のレア役の当選時の所定の確率で、ＡＲＴ状態の当選確率を高める高確率状態を所定期間（例えば、１０ゲーム）発生させるようにしている。
【０１４５】
例えば、弱スイカ役の当選時には１／８の確率で高確率状態を発生させ、強スイカ役の当選時には１／２の確率で高確率状態を発生させるようにしている。
そして、高確率状態中においては、ＡＲＴ状態の当選確率が、弱チェリー役の当選時には１／８の確率に、チャンス役の当選時には１／２の確率に、強チェリー役の当選時には２／３の確率に、各々高められるようにしている。
なお、ＡＲＴ状態の抽選及び高確率状態の発生の契機役は上記の役以外でもよい。また、高確率状態中には、ベル役当選時にも所定の確率（例えば、１／１０）でＡＲＴ状態に当選させるようにしてもよい。
【０１４６】
主制御部１０１０及び副制御部１０２０は、ＡＲＴ状態の抽選に当選した場合には、まずは、ＡＲＴ状態の待機状態（ＡＴ状態）として、押し順ベル役と昇格リプレイ役に対する押し順ナビを実行する。
そして、押し順ナビの実行により昇格リプレイ役に対応する図柄の組合せが停止した場合には、リプレイ役の当選確率が高められる状態（ＲＴ状態）となり、さらに、押し順ベル役に対する押し順ナビが行われるＡＲＴ状態に遊技状態が移行する。
【０１４７】
また、ＡＲＴ状態は、その間に実行されたゲーム数に基づき制御期間が管理され、発生時に付与された初期ゲーム数（例えば、５０ゲーム）を残りゲーム数として、残りゲーム数が０となるまで継続される。ＡＲＴ状態中は、リプレイ役を除く役の抽選は通常遊技状態と同様に行われ、また、転落リプレイ役が入賞しないような押し順ナビも行われる。
そして、残りゲーム数が０となった場合には、ＡＲＴ状態の終了条件が成立して、各役に対する押し順ナビが無効となり、ＡＲＴ状態が終了することとなる。
ＡＲＴ状態の終了により、遊技状態はＡＲＴ状態の終了待機状態（非ＡＴ状態）に移行し、その後、転落リプレイ役の入賞により、遊技状態は通常遊技状態に移行する。
【０１４８】
また、ＡＲＴ状態中にボーナス役に当選して、ボーナス役に対応する図柄の組合せが停止した場合には、ＡＲＴ状態は一旦中断して、遊技状態はボーナス状態に移行する。そして、ボーナス状態の終了後にＡＲＴ状態の待機状態に再度移行し、その後昇格リプレイ役に対応する図柄の組合せの停止により、遊技状態は再びＡＲＴ状態に移行（中断した状態から再開）する。
【０１４９】
また、主制御部１０１０は、ＡＲＴ状態中の所定のレア役の当選を契機に、ＡＲＴ状態の残りゲーム数に所定数のゲーム数を加算させる上乗せ抽選を実行する。
例えば、弱チェリー役の当選時には１／１０の確率で上乗せに当選（９／１０の確率で非当選）させ、当選した場合には残りゲーム数に１０ゲームを加算させる。また、弱スイカ役の当選時には１／２０の確率で上乗せに当選（１９／２０の確率で非当選）させ、当選した場合には残りゲーム数に３０ゲームを加算させる。また、チャンス役の当選時には１／３の確率で上乗せに当選（２／３の確率で非当選）させ、当選した場合には残りゲーム数に２０ゲームを加算させる。また、強チェリー役の当選時には１／１の確率で上乗せに当選させ、当選した場合には残りゲーム数に３０ゲームを加算させる。また、強スイカ役の当選時には１／５の確率で上乗せに当選（４／５の確率で非当選）させ、当選した場合には残りゲーム数に５０ゲームを加算させる。
【０１５０】
ＡＲＴ状態中のゲーム数の上乗せ抽選の当選により、特典の付与としてＡＲＴ状態の残りゲーム数が増加して、ＡＲＴ状態の継続可能期間が延長されることとなる。
なお、上乗せ抽選の契機役は上記の役以外でもよい。また、各役当選時の上乗せ抽選の当選確率、及び上乗せされるゲーム数は上記以外でもよく、また、一の役の当選に対する上乗せされるゲーム数に、複数の選択肢を設けるようにしてもよい。
以上のように各遊技状態での制御が行われる。
【０１５１】
次に、第２実施形態におけるスロットマシン１００１において、表示器１００８で行われる演出表示について図１２〜図２７を参照して説明する。
【０１５２】
スロットマシン１００１においては、主制御部１０１０及び副制御部１０２０の制御により、表示器１００８において、以下のようなＡＲＴ状態及びボーナス状態に関わる演出表示が行われる。
【０１５３】
通常遊技状態中においてボーナス役に当選した場合には、当選ゲームでボーナス役に当選した旨は報知せずに、特典の付与に関連した演出として、所定数（例えば、３ゲーム）のゲームに亘って実行されるボーナス状態の発生演出を経て報知するようにしている。
そして、ボーナス状態の発生演出の最終ゲームのゲーム終了後に、その演出の終了態様によりボーナス役に当選した旨が報知されることとなる。
【０１５４】
また、ボーナス役が重複当選する可能性のある所定の小役（弱チェリー役、弱スイカ役、チャンス役、強チェリー役、強スイカ役）の当選時に、ボーナス役に当選（重複当選）しない場合でも、ボーナス役に当選した場合と同様の発生演出（ガセ発生演出）が実行される。
すなわち、ボーナス役に当選した場合には、発生演出の最終段階でボーナス役の当選が報知され、ボーナス役に当選しない場合には、発生演出（ガセ発生演出）の最終段階でボーナス役の非当選が報知されることとなる。
【０１５５】
また、ＡＲＴ状態の抽選は、通常遊技状態中において、所定のレア役（弱チェリー役、チャンス役、強チェリー役）の当選を契機に行われるが、所定のレア役当選時にＡＲＴ状態に当選した場合でも、直ぐにＡＲＴ状態は発生せずに、所定数（例えば、３ゲーム）のゲームの実行後にＡＲＴ状態を発生させるようにしている。また、ＡＲＴ状態の発生が遅延される所定数のゲームに亘っては、ＡＲＴ状態の発生に対する期待感を高めるための、特典の付与に関連した演出として、ＡＲＴ状態の前兆演出が行われる。
そして、ＡＲＴ状態が遅延される期間の最終ゲームのゲーム終了後に前兆演出も終了し、その演出の終了態様によりＡＲＴ状態の抽選結果が報知されることとなる。
【０１５６】
また、所定のレア役（弱チェリー役、チャンス役、強チェリー役）の当選時に、ＡＲＴ状態に当選しない場合でも、特典の付与に関連した演出として、ＡＲＴ状態に当選した場合と同様の前兆演出（ガセ前兆演出）が実行される。
すなわち、ＡＲＴ状態に当選した場合には、前兆演出の最終段階でＡＲＴ状態の当選が報知され、ＡＲＴ状態に当選しない場合には、前兆演出（ガセ前兆演出）の最終段階でＡＲＴ状態の非当選が報知されることとなる。
なお、ＡＲＴ状態に当選しない場合には、所定のレア役（弱チェリー役、チャンス役、強チェリー役）の当選時に必ず前兆演出（ガセ前兆演出）を発生せずに、所定の確率（例えば、１／２）で前兆演出（ガセ前兆演出）を発生させるようにしてもよい。
【０１５７】
また、ＡＲＴ状態中の上乗せ抽選は、通常遊技状態中において、レア役（弱チェリー役、弱スイカ役、チャンス役、強チェリー役、強スイカ役）の当選を契機に行われるが、レア役当選時に上乗せに当選した場合でも、直ぐに上乗せを行う旨は発生せずに、所定数（例えば、３ゲーム）のゲームの実行後に上乗せを行う旨を報知させるようにしている。また、上乗せ報知が遅延される所定数のゲームに亘っては、特典の付与に関連した演出として、上乗せに対する期待感を高めるための上乗せ演出が行われる。
そして、上乗せ報知が遅延される期間の最終ゲームのゲーム終了後に上乗せ演出も終了し、その演出の終了態様により上乗せの抽選結果、及び上乗せされるゲーム数が報知されることとなる。
【０１５８】
また、所定のレア役（弱チェリー役、弱スイカ役、チャンス役、強チェリー役、強スイカ役）の当選時に、上乗せに当選しない場合でも、上乗せに当選した場合と同様の上乗せ演出（ガセ上乗せ演出）が実行される。
すなわち、上乗せに当選した場合には、上乗せ演出の最終段階で上乗せの当選が報知され、上乗せに当選しない場合には、上乗せ演出（ガセ上乗せ演出）の最終段階で上乗せの非当選が報知されることとなる。
【０１５９】
次に、図１２を参照して、ゲームの実行に表示器１００８で行われるチャンス演出について説明する。
通常遊技状態中のゲームの実行時に所定のレア役（例えば、弱チェリー役、チャンス役、強チェリー役）に当選した場合には、上記したようにＡＲＴ状態の抽選が行われるので、遊技者の期待感を高めるために所定のチャンス演出が表示器１００８において行われる。
【０１６０】
図１２は、所定のレア役（弱チェリー役、チャンス役、強チェリー役）に当選したときの演出表示の一例として、ゲームの開始時に行われるチャンス演出時の表示を示している。
図１２（ａ）に示すように、所定のレア役に当選した場合の所定の確率（例えば、１／３）で、ゲームの開始時に、操作画像を第１の表示位置へ表示する第１表示態様として、演出ボタン１００２ｄ（操作手段）の操作を促す操作画像としての第１操作画像１０５１が表示される。
第１操作画像１０５１は、演出ボタン１００２ｄを模したボタン画像と、「押せ！」の文字情報とから構成され、表示器１００８の略中央に表示される。
【０１６１】
第１操作画像１０５１の表示時には、演出ボタン１００２ｄの操作が有効となり、演出ボタン１００２ｄが発光する。そして、このとき演出ボタン１００２ｄを押圧操作すると、図１２（ｂ）に示すような、「ＣＨＡＮＣＥ」の文字情報からなる第１文字画像１０５２ａが表示される。この第１文字画像１０５２ａの表示により、当該ゲームで所定のレア役に当選したことが報知されることとなり、遊技者の期待感を高めることが可能となる。
なお、演出ボタン１００２ｄに替えて、ベットボタン１００２ａの操作に基づき、第１文字画像１０５２ａを表示してもよく、この場合、ベットボタン１００２ａが操作手段を構成する。
また、チャンス演出は、所定のレア役に当選した場合に必ず実行するようにしてもよいし、ＡＲＴ状態の期待度の高いレア役ほど、チャンス演出の実行確率を高めるようにしてもよい。
【０１６２】
また、操作画像としては、図１３に示すような、操作画像を第２の表示位置へ表示する第２表示態様として、補助装置として例示する上部演出ボタン１００２ｆ（特定操作手段）の操作を促す第２操作画像１０５３が表示される場合もある。
第２操作画像１０５３は、上部演出ボタン１００２ｆを模したボタン画像と、「押せ！」の文字情報とから構成され、表示器１００８の略中央に表示される。また、第２操作画像１０５３は、第１操作画像１０５１よりも表示面積が大きく設定され、第２操作画像１０５３の所定部（右下部分）が第１操作画像１０５１より上部演出ボタン１００２ｆに近い位置となるように表示される。
【０１６３】
第２操作画像１０５３の表示時には、上部演出ボタン１００２ｆの操作が有効となり、上部演出ボタン１００２ｆが発光する。そして、このとき上部演出ボタン１００２ｆを押圧操作すると、図１３（ｂ）に示すような、「激アツ」の文字情報からなる第２文字画像１０５２ｂが表示される。
【０１６４】
ゲーム開始時に表示器１００８に表示する操作画像を、第１操作画像１０５１するか、或いは第２操作画像１０５３にするかの選択は、第１操作画像１０５１の方が第２操作画像１０５３よりも、結果的に表示される頻度が高まるように行われる。
例えば、弱チェリー役当選時には、第１操作画像１０５１を２９／３０の確率で選択し、第２操作画像１０５３を１／３０の確率で選択する。また、チャンス役当選時には、第１操作画像１０５１を９／２０の確率で選択し、第２操作画像１０５３を１／２０の確率で選択する。また、強チェリー役当選時には、第１操作画像１０５１を７／１０の確率で選択し、第２操作画像１０５３を３／１０の確率で選択する。このような傾向で各レア役当選時の操作画像の選択制御が行われる。
【０１６５】
この結果、第１操作画像１０５１が表示されるよりも、第２操作画像１０５３が表示される方が、結果的に当選したレア役が、弱チェリー役よりも強チェリー役となる期待度が高くなるのである。同様に、第１操作画像１０５１が表示されるよりも、第２操作画像１０５３が表示される方が、結果的に当選したレア役が、チャンス役よりも強チェリー役となる期待度が高くなるのである。
【０１６６】
ＡＲＴ状態の当選確率は、比較的当選確率の低いレア役（強チェリー役等）の方が、高くなるように設定されているので、第１操作画像１０５１よりも第２操作画像１０５３が表示される方が、ＡＲＴ状態への期待度は高まることとなる。
【０１６７】
したがって、ゲーム開始時には、第２操作画像１０５３よりも第１操作画像１０５１が表示される頻度（確率）が高まることとなるが、第２操作画像１０５３が表示された場合には、第１操作画像１０５１が表示された場合よりも遊技者の期待感を高めることが可能となる。
なお、第１の表示位置と第２の表示位置の関係は、図１２（ａ）に示すように第１操作画像１０５１が表示器１００８の表示画面の略中央に表示される位置を第１の表示位置として、それを基準にして、それよりも操作画像と補助装置との距離が近づくものであれば何れの場合も第２の表示位置としてもよい。例えば、操作画像の画像自体が補助装置に近づくもの他、操作画像の面積が第１操作画像１０５１よりも大きくなった場合の表示位置を第２の表示位置としてもよい。
なお、上記チャンス演出は、ＡＲＴ状態の当選契機役の当選時以外に、ＡＴ状態中の上乗せ抽選の当選契機役の当選時や、ボーナス役の当選契機役の当選時に行うようにしてもよい。
【０１６８】
次に、図１４を参照して、ＡＲＴ状態の前兆演出について説明する。
ＡＲＴ状態は、前述したように、通常遊技状態中に所定のレア役（弱チェリー役、チャンス役、強チェリー役）の当選時に、ＡＲＴ状態の抽選に当選した場合に成立する。
そして、通常遊技状態中に所定のレア役（弱チェリー役、チャンス役、強チェリー役）の当選から所定数のゲームに亘って実行される前兆演出を経て、ＡＲＴ状態の発生が報知され、その後、ＡＲＴ状態が発生する。
【０１６９】
前兆演出は表示器１００８により実行され、前兆演出が実行される所定数のゲームの間に、ＡＲＴ状態の発生に対する期待感を高めるための種々の演出画像が表示器１００８において実行され、前兆演出の最終段階でＡＲＴ状態の発生が画像表示より報知されることとなる。
また、前兆演出中は、表示器１００８の画像表示の他、当該画像表示の演出効果を高めるための効果音がスピーカ１００９から出力されるとともに、装飾発光がランプ１０１１で行われる。
【０１７０】
また、所定のレア役に当選した場合には、図１２、図１３で示したように、ゲーム開始時に所定の確率でチャンス演出が行われることから、チャンス演出が実行された場合には、チャンス演出が実行されるゲームの次ゲームから前兆演出が実行されることとなる。
【０１７１】
前兆演出時に表示器１００８で実行される演出画像は、例えば、主人公キャラクタ画像と敵キャラクタ画像が対戦する内容となっていて、ＡＲＴ状態の発生を報知する場合には主人公キャラクタ画像が勝利する内容となり、ＡＲＴ状態の発生を報知しない場合には敵キャラクタ画像が勝利する内容となっている。また、最終的に結果を報知する場合には、演出ボタン１００２ｄ或いは上部演出ボタン１００２ｆの操作を伴う演出も実行可能となっている。
【０１７２】
図１４は、前兆演出実行時の表示器１００８における演出画像を示している。
まず、図１４（ａ）に示すように、例えば、所定のレア役に当選したゲームの次ゲームの開始時に、主人公キャラクタ画像と敵キャラクタ画像からなる前兆演出画像１０５４が表示され、その後、前兆演出画像１０５４において所定ゲームの間、主人公キャラクタ画像と敵キャラクタ画像の攻防画像が繰り広げられる。
【０１７３】
そして、前兆演出の最終ゲームの終了後に、前兆演出における、ＡＲＴ状態の当否を報知する演出として結果確定演出が実行される。そして、この結果確定演出において、演出ボタンの操作を促す画像が所定の確率（例えば、１／３）で表示される。このとき、演出ボタン１００２ｄ或いは上部演出ボタン１００２ｆの２通りの操作を促す演出画像が用意されていて、ＡＲＴ状態の発生期待度に応じて何れかの演出画像が表示される。
【０１７４】
図１４（ｂ）は、結果確定演出において、第１表示態様として、演出ボタン１００２ｄの操作が選択された場合の演出画像を示し、演出ボタン１００２ｄの操作が選択された場合には、演出ボタン１００２ｄを模したボタン画像と、「押せ！」の文字情報とからなる第１操作画像１０５１が第１の表示位置に表示される。
一方、図１４（ｃ）は、第２表示態様として、上部演出ボタン１００２ｆの操作が選択された場合の演出画像を示し、上部演出ボタン１００２ｆの操作が選択された場合には、上部演出ボタン１００２ｆを模したボタン画像と、「押せ！」の文字情報とからなる第２操作画像１０５３が第２の表示位置に表示される。
その後、演出ボタン１００２ｄ或いは上部演出ボタン１００２ｆが操作されると、前兆演出画像１０５４の結果として、主人公キャラクタ画像と敵キャラクタ画像の対戦結果が導出されることとなる。
【０１７５】
なお、図１４（ｂ）での第１操作画像１０５１、及び図１４（ｃ）での第２操作画像１０５３の表示に関しては、その表示位置や表示面積が、図１２及び図１３で示した第１操作画像１０５１及び第２操作画像１０５３と同様に設定される。また、第１の表示位置に表示される第１操作画像１０５１の中心位置と、第２の表示位置に表示される第２操作画像１０５３の中心位置を同一に設定してもよいし、異なる位置に設定してもよく、表示結果として、第１操作画像１０５１よりも第２操作画像１０５３が上部演出ボタン１００２ｆに近づくように表示されれば何れでもよい。
【０１７６】
図１４（ｄ）は、結果確定演出において、ＡＲＴ状態の発生が報知される場合の演出画像を示している。図に示すように、ＡＲＴ状態の発生が報知される場合には、演出ボタン１００２ｄ或いは上部演出ボタン１００２ｆが操作されると、前兆演出画像１０５４の結果として、主人公キャラクタ画像が勝利した勝利画像１０５５が表示される。
その後、所定時間経過後（例えば、１秒後）に、図１４（ｅ）に示すように、「ＡＲＴ確定」の文字情報からなる第３文字画像１０５７が表示され、ＡＲＴ状態の発生が報知されることとなる。なお、図１４（ｄ）に示した勝利画像１０５５に関しても、ＡＲＴ状態の発生が識別可能であるので、勝利画像１０５５もＡＲＴ状態の発生を報知する画像と捉えることもできる。
そして、次ゲームの開始により、ＡＲＴ状態の初期ゲーム数が報知されるとともに、ＡＲＴ状態であることを識別可能な画像（ステージ画像）が表示器１００８に表示される。
【０１７７】
一方、図１４（ｆ）は、ＡＲＴ状態の発生が報知されない場合（非当選時）の演出画像を示している。図に示すように、ＡＲＴ状態の発生が報知されない場合には、演出ボタン１００２ｄ或いは上部演出ボタン１００２ｆが操作されると、前兆演出画像１０５４の結果として、主人公キャラクタ画像が敗北した敗北画像１０５６が表示される。
その後、所定時間経過後（例えば、１秒後）に、図１４（ｇ）に示すように、「失敗」の文字情報からなる第４文字画像１０５８が表示され、ＡＲＴ状態が発生しないこと（非当選）が報知されることとなる。なお、図１４（ｆ）に示した敗北画像１０５６に関しても、ＡＲＴ状態が発生しないことが識別可能であるので、敗北画像１０５６もＡＲＴ状態が発生しないことを報知する画像と捉えることもできる。
そして、次ゲームの開始により、通常遊技状態であることを識別可能な画像（ステージ画像）が表示器１００８に表示される。
【０１７８】
また、前兆演出の最終ゲームの終了以降に表示される上記各演出画像は、未だ前兆演出が途中の間でも、次ゲームの開始によりキャンセル可能となっていて、このときＡＲＴ状態が発生する場合には、前兆演出（演出画像）のキャンセルにより、ＡＲＴ状態であることを識別可能な画像（ステージ画像）が表示器１００８に表示される。
【０１７９】
また、前兆演出の最終ゲームでは、演出ボタン１００２ｄ或いは上部演出ボタン１００２ｆの操作を伴わずにＡＲＴ状態の当否を報知してもよいが、演出ボタン１００２ｄ或いは上部演出ボタン１００２ｆの操作を伴った場合の方が、伴わない場合よりもＡＲＴ状態の発生が報知される確率が高くなるように、演出画像の選択制御を行うことが好ましい。
【０１８０】
また、前兆演出の最終ゲームで、演出ボタン１００２ｄ或いは上部演出ボタン１００２ｆの操作を伴う演出画像を表示する場合には、第１操作画像１０５１が表示される場合よりも第２操作画像１０５３が表示される場合の方が、ＡＲＴ状態の発生が報知される確率が高くなるように、操作画像の選択制御を行うことが好ましい。例えば、ＡＲＴ状態の発生を報知する場合には、ＡＲＴ状態の発生を報知しない場合よりも、第２操作画像１０５３を選択する確率を高めるようにする。
このようにすれば、第２操作画像１０５３が表示された場合、すなわち、上部演出ボタン１００２ｆの操作を伴う前兆演出が行われた場合の遊技者の期待感を高めることが可能となる。
【０１８１】
また、第１操作画像１０５１及び第２操作画像１０５３は、ＡＲＴ状態の前兆演出中以外にも、ＡＲＴ状態中において、ゲーム数の上乗せが行われる旨を報知する場合にも表示可能となっている。
すなわち、ＡＲＴ状態中に所定のレア役（弱チェリー役、強チェリー役、弱スイカ役、強スイカ役、チャンス役）に当選した場合に、所定ゲーム数（例えば、１〜３ゲーム）の上乗せ演出が行われるが、この上乗せ演出の最終ゲームの終了後の演出を、上乗せの当否を報知する上乗せ演出中の結果確定演出として、この結果確定演出において、第１操作画像１０５１或いは第２操作画像１０５３が表示され、演出ボタン１００２ｄ或いは上部演出ボタン１００２ｆの操作に基づき、ゲーム数の上乗せが行われるか否か、及び上乗せされるゲーム数の報知が行われる。
【０１８２】
また、上乗せ演出時の演出画像は、前兆演出時と同様の演出画像となっていて、主人公キャラクタ画像と敵キャラクタ画像による演出画像が表示されるとともに、演出ボタンの操作により、勝利画像１０５５或いは敗北画像１０５６が表示される。したがって、ゲーム数の上乗せが行われる場合には、演出ボタン１００２ｄ或いは上部演出ボタン１００２ｆの操作に基づき、上乗せ演出の結果として、ゲーム数が上乗せされる旨、及び上乗せされるゲーム数が報知されることとなる。
【０１８３】
また、上乗せ演出においても、前兆演出同様に、第１操作画像１０５１が表示される場合よりも第２操作画像１０５３が表示される場合の方が、上乗せされる旨が報知される確率が高くなるように、操作画像の選択制御を行うことが好ましい。例えば、上乗せされる旨を報知する場合には、上乗せされる旨を報知しない場合よりも、第２操作画像１０５３を選択する確率を高めるようにする。
このようにすれば、第２操作画像１０５３が表示された場合、すなわち、上部演出ボタン１００２ｆの操作を伴う上乗せ演出が行われた場合の遊技者の期待感を高めることが可能となる。
なお、ボーナス状態の発生演出においても、前兆演出と同様の演出画像を表示するようにしてもよい。すなわち、ボーナス状態の発生演出の最終ゲームの終了後の演出を、ボーナス役の当否を報知する発生演出中の結果確定演出として、この結果確定演出において、第１操作画像１０５１或いは第２操作画像１０５３を表示して、演出ボタン１００２ｄ或いは上部演出ボタン１００２ｆの操作に基づき、ボーナス役に当選したか否かを報知するようにしてもよい。
【０１８４】
次に、図１５を参照して、操作画像の第２の表示位置への表示として、表示器１００８に表示される第２操作画像１０５３と、押し順ナビとの関係を説明する。
図１５に示すように、第２操作画像１０５３は、第１操作画像１０５１よりも、表示面積が大きく設定されていることから、表示器１００８の表示画面の略中央に表示されていても、その画像が表示画面の広範囲に広がるように表示されることとなっている。
したがって、第２操作画像１０５３が表示器１００８に表示された場合には、第１操作画像１０５１よりも、その画像が上部演出ボタン１００２ｆの位置に近づくように表示されるが、同時に、表示器１００８の表示画面の下部に広がって、第１操作画像１０５１よりも表示画面の下辺部に近い位置に表示されることとなる。
【０１８５】
図１５に示すように、表示器１００８に押し順ナビが表示される場合には、操作指示画像として、停止ボタン１００５に対応する３つの押し順画像１０５９が、表示画面の下部に左右方向に並んで表示される。
押し順画像１０５９は、押し順ベル役１〜６を入賞させるための適正な押し順をナビゲートするもので、各画像の中央には停止操作の順序を識別する数字情報が表示される。これらの押し順画像１０５９は、ゲーム開始時に表示されて、各停止ボタン１００５ａ〜１００５ｃの停止毎に対応する押し順画像１０５９が順次消去されるようになっている。
【０１８６】
押し順画像１０５９は、停止ボタン１００５が表示器１００８の下方に配設される関係上、表示画面の下部に表示される方が効果的であるが、表示画面の下部は、第２操作画像１０５３が表示される領域にもなっている。したがって、仮に、押し順画像１０５９と第２操作画像１０５３とが同時に表示された場合には、押し順画像１０５９の一部（中停止ボタン１００５ｂ）と第２操作画像１０５３の所定部が重なってしまうこととなり、何れかの画像の視認性に支障を来す虞が発生してしまう。
【０１８７】
このような課題を解消するために、第２実施形態のスロットマシン１００１においては、ＡＲＴ状態中の上乗せ演出時に上部演出ボタン１００２ｆを使用する演出を実行する場合には、ゲームの終了後の結果確定演出において、第２操作画像１０５３が表示されるように、上乗せ演出の制御を行うようにしている。
すなわち、ゲームの終了後であれば、押し順画像１０５９は既に表示器１００８の表示画面から消去されているので、第２操作画像１０５３のみを明確に表示することができ、押し順画像１０５９と第２操作画像１０５３が重なってしまうことによる各画像の視認性を防止することが可能となるのである。
【０１８８】
なお、第２操作画像１０５３をゲーム終了以前（例えば、ゲーム開始時）に表示するようにしてもよいが、この場合には、押し順画像１０５９と第２操作画像１０５３の両方或いは一方の画像面積を小さくして画像が重ならないようにしてもよいし、押し順画像１０５９の表示優先順位を高めて押し順画像１０５９が第２操作画像１０５３の前面側に表示されるようにしてもよい。
【０１８９】
また、第２操作画像１０５３を表示器１００８に表示する場合には、図１５に示す表示位置以外に、第２の表示位置として例示する、図１６に示す表示位置に表示してもよい。
図１６に示す例においては、第２操作画像１０５３を表示器１００８に表示する位置と、第２操作画像１０５３の周囲の表示が図１５に示した例と異なっていて、第２操作画像１０５３を表示する時期等、その他の点については図１５と同様となっている。
【０１９０】
図１６に示す例においては、第２操作画像１０５３を表示器１００８に表示する場合には、表示器１００８の表示領域の略中央ではなく、表示領域の正面視右側にずれた位置、すなわち、第２操作画像１０５３の全体が上部演出ボタン１００２ｆに近づいた位置に表示するようにして、上部演出ボタン１００２ｆの操作を促す報知を行っている。
また、第２操作画像１０５３を表示器１００８に表示する場合には、第２操作画像１０５３の周囲に装飾画像１０６０を表示するようにしている。
装飾画像１０６０は、発光している上部演出ボタン１００２ｆの光が上部演出ボタン１００２ｆから表示画面側に照射している様子を描いていて、第２操作画像１０５３の周囲全体を囲うように表示される。
【０１９１】
したがって、第２操作画像１０５３の表示位置が上部演出ボタン１００２ｆにより近づいているので、上部演出ボタン１００２ｆの操作が促されていることをより明確にすることができ、遊技者の操作忘れを防止可能となる。
また、装飾画像１０６０の表示により、第２操作画像１０５３がより際立つこととなり、第２操作画像１０５３による報知を確実に行うことができるとともに、上部演出ボタン１００２ｆの位置を確実に遊技者に知らしめることが可能となる。
【０１９２】
なお、図１６に示す第２操作画像１０５３を表示画面の側方にずらして表示する場合と、表示画面の略中央に表示する場合は、主制御部１０１０及び副制御部１０２０により適宜選択して制御してもよい。例えば、表示画面の側方に第２操作画像１０５３が表示された場合には、表示画面の略中央に表示される場合よりも、特典（ＡＲＴ状態）が付与される旨が報知される確率が高めるように、第２操作画像１０５３の表示位置の選択制御を行うようにしてもよい。
【０１９３】
以上、第２実施形態に係るスロットマシン１００１において、表示器１００８で行われる演出表示に関しては、以下のような特徴を有している。
複数の情報を表示可能な表示手段（表示器１００８）を備え、遊技者にとって有利な特典（ＡＲＴ状態）の付与に関連した演出を表示手段に表示するようにした遊技機（スロットマシン１００１）において、特典を付与するか否かを抽選する抽選手段（主制御部１０１０）と、抽選手段による抽選結果に基づき、演出（前兆演出、上乗せ演出、発生演出）を制御可能な演出制御手段（主制御部１０１０及び副制御部１０２０）と、遊技者が操作可能な操作手段（演出ボタン１００２ｄ）と、表示手段の周辺に配置される、演出を補助可能な補助装置（上演出ボタン１００２ｆ）と、を備え、補助装置は、遊技者が操作可能であり操作手段とは別個に設けられる特定操作手段（上部演出ボタン１００２ｆ）であり、演出制御手段は、演出の実行中に、操作手段或いは特定操作手段の操作を促す操作画像（第１操作画像１０５１、第２操作画像１０５３）を表示するとともに、操作手段或いは特定操作手段の操作に基づき、特典の付与に関連した所定情報（例えば、勝利画像１０５５）を表示可能な操作画像制御手段（主制御部１０１０及び副制御部１０２０）を備え、操作画像制御手段は、抽選手段による抽選結果に基づき、表示手段の表示領域において操作画像の表示位置を制御可能な表示位置制御手段（主制御部１０１０及び副制御部１０２０）を備え、表示位置制御手段は、操作画像を、第１の表示位置と、該第１の表示位置よりも操作画像が特定操作手段に近くなる第２の表示位置とに表示可能とし、抽選手段による抽選結果が、特典を付与するものである場合には、特典を付与するものでない場合よりも、操作画像を高い確率で第２の表示位置に表示することを特徴とするのである。
【０１９４】
したがって、表示器１００８の表示領域において操作画像が表示される表示態様に応じて、特典の付与に対する期待度が変化することとなり、興趣を向上させることが可能となる。すなわち、従来より、表示器に操作画像を表示して、特典の付与に関わる報知を行うようにした遊技機は知られているが、その表示態様は単調なものであり、本発明によれば、操作画像の表示態様をより多彩化することが可能となるのである。
【０１９５】
また、補助装置と関連した演出が実行可能となり、興趣を向上させることができる。また、特典の付与に対する期待度をより変化性に富んだものにすることができ、遊技者の期待感を高めることが可能となる。
また、操作画像が第１の表示位置よりも特定操作手段に近くなる第２の表示位置に、操作画像を表示するので、操作画像の表示位置と特定操作手段との関連性を高めることができ、特定操作手段の操作を促す報知を確実に行うことが可能となるし、遊技者の期待感を高めることが可能となる。
【０１９６】
また、遊技機は、抽選手段の抽選結果に基づき、所定のゲームを実行可能とし、操作画像制御手段は、ゲームの当初（開始時）に、操作画像を、第１の表示位置或いは第２の表示位置に表示可能とし、ゲームの当初に操作画像を表示する場合には、第２の表示位置よりも第１の表示位置に表示される確率が高くなるように表示制御を実行可能としたことを特徴とするのである。
【０１９７】
したがって、ゲームの当初でも操作画像が表示されるので、遊技の興趣や期待感を向上させることが可能となる。また、ゲーム当初に操作画像が表示される場合には、第１の表示位置よりも第２の表示位置に表示される場合の方が、遊技者の期待感を高めることが可能となる。
【０１９８】
また、操作画像制御手段は、ゲームの終了後に、操作画像を表示可能とし、特定操作手段は、操作手段よりも、当該遊技機で遊技する遊技者からの距離が大きくなる位置に配設したことを特徴とするのである。
【０１９９】
したがって、特定操作手段を操作する場合には、遊技者は、操作手段よりも余分に手を伸ばして操作する必要があるが、操作画像をゲーム終了後に表示することで、既にゲームに関わる操作が終了していることから、ゲームの進行に支障を来さずに特定操作手段の操作を行うことが可能となる。すなわち、ゲームの途中で、停止ボタン１００５の操作中に比較的遠くの位置にある特定操作手段を操作すると、停止ボタン１００５の操作でのゲームをスムーズに進行できなくなる可能性あり、また、特定操作手段の操作により、停止ボタン１００５を誤操作してしまう虞もあるが、このような事態を防止できるのである。
また、特定操作手段の距離を大きくすることで、特定操作手段がより期待度の高いものであるという印象を遊技者に与えることも可能となる。
【０２００】
また、遊技機は、ゲームの進行に関わる操作指示画像（押し順画像１０５９）を表示手段（表示器１００８）に表示可能な操作指示画像制御手段（主制御部１０１０及び副制御部１０２０）を備え、操作画像制御手段は、ゲームの終了後に、操作画像を表示可能とするとともに、操作画像を第２の表示位置に表示する場合には、操作画像の所定部が、操作指示画像が表示される場合の位置と同じ位置となる（重なる）ように操作画像を表示可能としたことを特徴とするのである。
【０２０１】
したがって、表示器１００８の表示領域（表示画面）を効果的に利用して、操作指示画像及び操作画像を表示することが可能となり、各画像の視認性を向上させることが可能となる。
また、ゲームの終了後に操作画像を表示するようにすれば、操作指示画像と操作画像とが重なって表示されることを防止できるので、両画像が重なることにより視認性が低下してしまう事態を未然に防止することが可能となる。
【０２０２】
また、特定操作手段（上部演出ボタン１００２ｆ）の前端部が、当該遊技機の最前方の位置となるように、特定操作手段を配設することを特徴とした。
したがって、特定操作手段の操作性を向上させることができ、特定操作手段が遊技者からの距離が大きい位置に配設されていても、容易に操作することが可能となり誤操作を防止することが可能となる。
【０２０３】
また、操作画像制御手段は、操作画像を第２の表示位置に表示する場合には、所定の装飾画像（１０６０）を表示可能としたことを特徴とするのである。
したがって、操作画像が表示されたことをより効果的に報知することができるとともに、興趣性を向上することが可能となる。また、装飾画像を特定操作手段（上部演出ボタン１００２ｆ）の位置と関連付けるようなものとすることで、特定操作手段の位置を明確に報知することも可能となる。
【０２０４】
＜第２実施形態の第１変形例＞
次に、本発明に係る遊技機の第２実施形態の第１変形例について、図１７〜図２４を参照して説明する。
【０２０５】
第２実施形態の第１変形例のスロットマシン１００１における前兆演出或いは上乗せ演出においても、その最終段階である結果確定演出において演出ボタン１００２ｄ或いは上部演出ボタン１００２ｆを使用する演出が実行されるが、その実行態様や、表示器１００８での演出画像の表示態様が前述した第２実施形態と異なっている。
その他に関しては、前述の第２実施形態と同様である。
【０２０６】
第２実施形態の第１変形例のスロットマシン１００１における結果確定演出時に、演出ボタン１００２ｄ或いは上部演出ボタン１００２ｆを使用する演出表示が行われる場合には、まず、第１操作画像１０５１が表示器１００８に表示される。したがって、上部演出ボタン１００２ｆを使用する場合にも、直ぐには第２操作画像１０５３は表示されず、最初は第１操作画像１０５１が表示される。
この最初に第１操作画像１０５１が表示器１００８に表示される際に、図１７（ａ）〜（ｄ）に示すように、複数の表示位置において表示可能となっている。すなわち、第１操作画像１０５１の有無や、第１操作画像１０５１が表示される表示位置に応じて、結果確定演出の種類が異なることとなっている。
【０２０７】
図１７（ａ）は、第１操作画像１０５１を表示器１００８の表示領域の第１の表示位置としての略中央に表示された状態を示し、図１７（ｂ）は、第１操作画像１０５１を表示器１００８の右上の表示領域であって、第２の表示位置として例示する補助表示器１０１９の近傍位置に表示された状態を示し、図１７（ｃ）は、第１操作画像１０５１を表示器１００８の右下の表示領域であって、第２の表示位置として例示する上部演出ボタン１００２ｆの近傍位置に表示された状態を示し、図１７（ｄ）は、第１操作画像１０５１を表示器１００８の左上の表示領域であって、第２の表示位置として例示する可動役物１０１８ａの近傍位置に表示された状態を示している。
【０２０８】
これらの第１操作画像１０５１の表示領域における表示位置は、ＡＲＴ状態の当否や上乗せの当否に応じて決定されるので、単に第１操作画像１０５１が表示されるか否か以外にも、第１操作画像１０５１が表示される位置に対しても遊技者の興味を引き付けることを可能としている。
【０２０９】
また、演出ボタン１００２ｄを使用する演出を行うか否かの決定、第１操作画像１０５１の表示位置の決定等の結果確定演出の種類の決定は、主制御部１０１０で行われ、主制御部１０１０から副制御部１０２０への制御情報の送信に基づき、副制御部１０２０の制御により表示器１００８で結果確定演出が表示される。
【０２１０】
図１８は、結果確定演出において、第１操作画像１０５１を表示するか否か、すなわち、演出ボタン１００２ｄ（或いは上部演出ボタン１００２ｆ）を使用する演出を行うか否か、及び第１操作画像１０５１を表示器１００８の表示領域に表示する場合に、どの表示位置にするかを決定する際に用いられる表の一例を示している。第２実施形態では、結果確定演出において、演出ボタン１００２ｄ（或いは上部演出ボタン１００２ｆ）を使用する場合と使用しない場合とを設けており、図１８において、第１操作画像１０５１の表示無しが選択された場合、演出ボタン１００２ｄ（或いは上部演出ボタン１００２ｆ）を使用しない結果確定演出が決定されることとなる。
また、第１操作画像１０５１の表示に関する各種決定処理は主制御部１０１０により行われるが、副制御部１０２０で行うようにしてもよい。
【０２１１】
図１８に示すように、ＡＲＴ状態の非当選時（或いは上乗せの非当選時）には、第１操作画像１０５１の表示無し、すなわち演出ボタン１００２ｄ或いは上部演出ボタン１００２ｆを使用しない演出が、４０／１００の選択率で選択され、表示器１００８の表示領域の略中央に表示することが、３５／１００の選択率で選択され、表示器１００８の表示領域の右上に表示することが、１３／１００の選択率で選択され、表示器１００８の表示領域の右下に表示することが、７／１００の選択率で選択され、表示器１００８の表示領域の左上に表示することが、５／１００の選択率で選択される。
【０２１２】
一方、ＡＲＴ状態の当選時（或いは上乗せの当選時）には、第１操作画像１０５１の表示無し、すなわち演出ボタン１００２ｄを使用しない演出が、１０／１００の選択率で選択され、表示器１００８の表示領域の略中央に表示することが、１５／１００の選択率で選択され、表示器１００８の表示領域の右上に表示することが、２０／１００の選択率で選択され、表示器１００８の表示領域の右下に表示することが、２５／１００の選択率で選択され、表示器１００８の表示領域の左上に表示することが、３０／１００の選択率で選択される。
【０２１３】
以上のような選択率で各種の選択が行われるので、抽選手段としての主制御部１０１０による抽選結果が、ＡＲＴ状態の当選時（或いは上乗せの当選時）である場合には、ＡＲＴ状態の当選時（或いは上乗せの当選時）でない場合よりも、第１操作画像１０５１が高い確率で表示され、さらに第１操作画像１０５１が高い確率で補助装置の近傍位置（第２の表示位置）に表示されることとなる。
【０２１４】
このように、第１操作画像１０５１を表示するか否か、及び表示器１００８の表示領域における第１操作画像１０５１の表示位置が決定されるので、ＡＲＴ状態の当選に対する期待度が、左上＞右下＞右上＞中央＞演出ボタン画像無し、の関係性を有することとなり、第１操作画像１０５１の表示位置に応じて遊技者の期待感に変化を持たせることができる。特に、第１操作画像１０５１が補助装置の近傍位置に表示された場合には、遊技者の期待感を向上させることが可能となるのである。
【０２１５】
次に、図１９は、結果確定演出において、最初に第１操作画像１０５１が表示されるときの表示器１００８での画像表示を示している。
【０２１６】
第１操作画像１０５１が表示器１００８の表示領域に表示される場合、事前に決定されている表示位置に直ぐに表示されるのではなく、図１９（ａ）に示すように、対戦結果が確定する直前の画像とともに、第１操作画像１０５１が表示領域における補助表示器１０１９の近傍、上部演出ボタン１００２ｆの近傍、表示領域中央、可動役物１０１８ａの近傍、の各々の位置を一回移動表示した後に、再度同じ軌跡を移動中に、最終的に事前決定されている表示位置となったときに停止して表示位置が確定表示される。このように第１操作画像１０５１の表示位置が確定表示されるので、第１操作画像１０５１の表示位置に対する遊技者の興味を引き付けることが可能となるのである。
【０２１７】
また、図１９（ｂ）に示すように、演出ボタン１００２ｄ或いは上部演出ボタン１００２ｆを使用する演出の一部では、第１操作画像１０５１に替えて拡大第１操作画像１０５１ａが表示される場合もあり、拡大第１操作画像１０５１ａが表示される場合も、第１操作画像１０５１と同様に移動表示した後、表示位置が確定表示される。
このような第１操作画像１０５１及び拡大第１操作画像１０５１ａの移動表示は、表示位置制御手段としての主制御部１０１０及び副制御部１０２０により制御される。
【０２１８】
拡大第１操作画像１０５１ａの表示は、例えば、ＡＲＴ状態（或いは上乗せ）の非当選時は１％、ＡＲＴ状態（或いは上乗せ）の当選時は５％の確率で、第１操作画像１０５１から変更される。したがって、拡大第１操作画像１０５１ａが表示された場合には、ＡＲＴ状態（或いは上乗せ）の当選に対する期待度が高めることとなる。
なお、第１操作画像１０５１が移動表示をしている間に、第１操作画像１０５１を拡大第１操作画像１０５１ａに変更するようにしてもよい。このようにすれば、第１操作画像１０５１の移動表示と拡大との両方で、遊技者の期待感を変化させることが可能となる。
第１操作画像１０５１、第２操作画像１０５３、及び拡大第１操作画像１０５１ａは、ボタン画像と、「押せ！」の文字情報とからなる画像と、ボタン画像のみの画像とで表示可能とされ、図１９に示す例では、ボタン画像のみで表示されている。
【０２１９】
次に、図１９の移動表示により第１操作画像１０５１（或いは拡大第１操作画像１０５１ａ）の表示位置が確定した後、表示器１００８で行われる演出ボタン１００２ｄ或いは上部演出ボタン１００２ｆを使用した演出について、図２０〜図２３を参照して説明する。また、図２０〜図２３に示す演出は、主制御部１０１０から副制御部１０２０への制御情報の送信に基づき、副制御部１０２０の制御により表示器１００８で実行される。
【０２２０】
まず、図２０を参照して、第１操作画像１０５１が表示器１００８の表示領域の略中央に表示された場合の演出について説明する。
【０２２１】
図２０（ａ）は、図１９（ａ）の移動表示により第１操作画像１０５１の表示位置が確定した後の表示を示し、第１操作画像１０５１は、表示器１００８の表示領域の略中央の第１の表示位置に表示されている。このとき、第１操作画像１０５１は、対戦結果が確定する直前の画像とともに表示されて、遊技者の操作を促す表示が行われる。また、この状態では、演出ボタン１００２ｄが有効となり、内蔵する発光源（ＬＥＤ）が点灯して、演出ボタン１００２ｄが有効となっていることが報知される。
【０２２２】
この状態で、遊技者が演出ボタン１００２ｄを押圧操作すると、ＡＲＴ状態（或いは上乗せ）に当選していた場合には、図２０（ｂ）に示すように、第１操作画像１０５１が消えるとともに、対戦結果として主人公キャラクタが勝利する勝利画像１０５５が表示され、所定時間経過後、図２０（ｃ）に示すように、「ＡＴ確定」（「或いは上乗せ確定」）の文字情報からなる第３文字画像１０５７が表示されて結果が報知される。
【０２２３】
一方、ＡＲＴ状態（或いは上乗せ）に当選していない場合には、図２０（ｄ）に示すように、第１操作画像１０５１が消えるとともに、対戦結果として主人公キャラクタが敗北する敗北画像１０５６が表示され、所定時間経過後、図２０（ｅ）に示すように、「失敗」の文字情報からなる第４文字画像１０５８が表示されて結果が報知される。
【０２２４】
次に、図２１は、第１操作画像１０５１が表示器１００８の表示領域おける補助表示器１０１９の近傍位置（右上）に表示された場合において、遊技者が演出ボタン１００２ｄを操作したときに、表示器１００８で行われる演出画像の表示態様を示している。
【０２２５】
図２１（ａ）は、図１９（ａ）の移動表示により第１操作画像１０５１の表示位置が確定した後の表示を示し、第１操作画像１０５１は、対戦結果が確定する直前の画像とともに、表示器１００８の表示領域における補助表示器１０１９の近傍位置（右上）の第２の表示位置に表示されている。このとき、第１操作画像１０５１は、対戦結果が確定する直前の画像とともに表示されて、遊技者の操作を促す表示が行われる。また、この状態では、演出ボタン１００２ｄが有効となり、内蔵する発光源（ＬＥＤ）が点灯して、演出ボタン１００２ｄが有効となっていることが報知される。
また、補助表示器１０１９に、対戦に追加参戦するキャラクタである味方キャラクタ画像１０４０が表示され、その後、対戦結果が確定する直前の画像に味方キャラクタ画像１０４０が追加表示される。
【０２２６】
この状態で、遊技者が演出ボタン１００２ｄを押圧操作すると、ＡＲＴ状態（或いは上乗せ）に当選していた場合には、図２１（ｂ）に示すように、第１操作画像１０５１が消えるとともに、対戦結果として勝利画像１０５５が表示され、所定時間経過後、図２１（ｃ）に示すように、補助表示器１０１９に「ＡＴ確定」の文字情報が表示されるととともに、表示器１００８に「ＡＴ確定」（「或いは上乗せ確定」）の文字情報からなる第３文字画像１０５７が表示されて結果が報知されるような特定演出が実行される。
【０２２７】
一方、ＡＲＴ状態（或いは上乗せ）に当選していない場合には、図２１（ｄ）に示すように、第１操作画像１０５１が消えるとともに、対戦結果として敗北画像１０５６が表示され、所定時間経過後、図２１（ｅ）に示すように、補助表示器１０１９に「失敗」の文字情報が表示されるととともに、表示器１００８に「失敗」の文字情報からなる第４文字画像１０５８が表示されて結果が報知される。
このように、第１操作画像１０５１が表示器１００８の表示領域における補助表示器１０１９の近傍位置に表示された場合には、補助表示器１０１９に味方キャラクタ画像１０４０が追加表示されることで、見た目上でも、第１操作画像１０５１が略中央に表示された場合よりも遊技者の期待感を高めることが可能となる。また、第１操作画像１０５１が補助表示器１０１９の近傍位置に表示されることと、補助表示器１０１９に表示された味方キャラクタ画像１０４０が追加表示されることに関連性を持たせることができ、単に第１操作画像１０５１を補助表示器１０１９の近傍位置に表示するよりも、遊技者に分かりやすい形で期待度の高い結果確定演出を実現することができる。
【０２２８】
次に、図２２は、第１操作画像１０５１が表示器１００８の表示領域おける上部演出ボタン１００２ｆの近傍位置（右下）に表示された場合において、遊技者が演出ボタン１００２ｄを操作したときに、表示器１００８で行われる演出画像の表示態様を示している。
【０２２９】
図２２（ａ）は、図１９（ａ）の移動表示により第１操作画像１０５１の表示位置が確定した後の表示を示し、第１操作画像１０５１は、対戦結果が確定する直前の画像とともに、表示器１００８の表示領域における上部演出ボタン１００２ｆの近傍位置（右下）の第２の表示位置に表示されている。また、この状態では、演出ボタン１００２ｄが発光し操作が有効となり、第１操作画像１０５１が表示されて、遊技者の操作を促す表示が行われる。
【０２３０】
この状態で、遊技者が演出ボタン１００２ｄを押圧操作すると、図２２（ｂ）に示すように、新たに上部演出ボタン１００２ｆを模したボタン画像と、「押せ！」の文字情報からなる第２操作画像１０５３が、第１操作画像１０５１に替わって第２の表示位置に表示される。また、このとき、上部演出ボタン１００２ｆの操作が有効となり、内蔵する発光源（ＬＥＤ）が点灯して上部演出ボタン１００２ｆの操作が有効となっていることが報知される。
【０２３１】
そして、遊技者が上部演出ボタン１００２ｆを押圧操作すると、ＡＲＴ状態（或いは上乗せ）に当選していた場合には、図２２（ｃ）に示すように、第２操作画像１０５３が消えるとともに、対戦結果として勝利画像１０５５が表示され、所定時間経過後、図２２（ｄ）に示すように、「ＡＴ確定」（「或いは上乗せ確定」）の文字情報からなる第３文字画像１０５７が表示されて結果が報知されるような特定演出が実行される。
【０２３２】
一方、ＡＲＴ状態（或いは上乗せ）に当選していない場合には、図２２（ｅ）に示すように、第２操作画像１０５３が消えるとともに、対戦結果として敗北画像１０５６が表示され、所定時間経過後、図２２（ｆ）に示すように、表示器１００８に「失敗」の文字情報からなる第４文字画像１０５８が表示されて結果が報知される。
【０２３３】
このように、第１操作画像１０５１が表示器１００８の表示領域における上部演出ボタン１００２ｆの近傍位置に表示された場合には、演出ボタン１００２ｄよりも期待度が高く設定された上部演出ボタン１００２ｆを使用した演出に変更されるので、第１操作画像１０５１が略中央に表示された場合よりも遊技者の期待感を高めることが可能となる。また、第１操作画像１０５１が上部演出ボタン１００２ｆの近傍位置に表示されることと、上部演出ボタン１００２ｆを使用することに関連性を持たせることができ、上部演出ボタン１００２ｆの操作を確実に遊技者に促すことが可能となる。
【０２３４】
次に、図２３は、第１操作画像１０５１が表示器１００８の表示領域おける可動役物１０１８ａの近傍位置（左上）に表示された場合において、遊技者が演出ボタン１００２ｄを操作したときに、表示器１００８で行われる演出画像の表示態様を示している。
【０２３５】
図２３（ａ）は、図１９（ａ）の移動表示により第１操作画像１０５１の表示位置が確定した後の表示を示し、第１操作画像１０５１は、対戦結果が確定する直前の画像とともに、表示器１００８の表示領域における可動役物１０１８ａの近傍位置（左上）の第２の表示位置に表示されている。また、この状態では、演出ボタン１００２ｄは発光して操作が有効となっていることが報知される。
【０２３６】
また、可動役物１０１８ａは、下端部に回動中心が設定されていて、電気的駆動源の作動により、上端側が表示器１００８側に傾倒することで、可動役物１０１８ａの上方部分（所定部位）が、表示器１００８の表示領域の外側に位置する第１状態から、表示器１００８の表示領域の前方側へ突出した第２状態に変換可能に構成されている。
【０２３７】
この状態で、遊技者が演出ボタン１００２ｄを押圧操作すると、ＡＲＴ状態（或いは上乗せ）に当選していた場合には、図２３（ｂ）に示すように、第１操作画像１０５１が消えるとともに可動役物１０１８ａが第２状態に変換し、対戦結果として勝利画像１０５５が表示される。そして、所定時間経過後、図２３（ｃ）に示すように、「ＡＲＴ確定」（「或いは上乗せ確定」）の文字情報からなる第３文字画像１０５７が表示されて結果が報知されるような特定演出が実行される。
【０２３８】
一方、ＡＲＴ状態（或いは上乗せ）に当選していない場合には、図２３（ｄ）に示すように、第１操作画像１０５１が消えるとともに可動役物１０１８ａが第１状態を維持し、対戦結果として敗北画像１０５６が表示される。そして、所定時間経過後、図２３（ｅ）に示すように、「失敗」の文字情報からなる第４文字画像１０５８が表示されて結果が報知される。
【０２３９】
このように、第１操作画像１０５１が表示器１００８の表示領域における可動役物１０１８ａの近傍位置に表示された場合には、可動役物１０１８ａの動作とともに結果の報知が行われるので、第１操作画像１０５１が略中央に表示された場合よりもインパクトのある報知が可能となる。また、第１操作画像１０５１が可動役物１０１８ａの近傍位置に表示されることと、可動役物１０１８ａが動作することに関連性を持たせることができ、単に第１操作画像１０５１を可動役物１０１８ａの近傍位置に表示するよりも、興趣性が高く期待度の高い結果確定演出を実現することができる。
【０２４０】
次に、図２４を参照して、第１操作画像１０５１と、第１操作画像１０５１よりも期待度の高い拡大第１操作画像１０５１ａとの関係を説明する。
【０２４１】
図２４（ａ）は、表示器１００８の表示領域の略中央において、第１操作画像１０５１を拡大第１操作画像１０５１ａに拡大する場合を示し、この場合には、第１操作画像１０５１の中心、或いは縦方向の中心線上に設定された拡大基準点１０５１ｃを基準にして拡大第１操作画像１０５１ａが拡大表示される。
【０２４２】
一方、図２４（ｂ）に示すように、例えば、表示器１００８の表示領域の可動役物１０１８ａの近傍位置（左上）において、第１操作画像１０５１を拡大第１操作画像１０５１ａに拡大する場合には、第１操作画像１０５１において拡大基準点１０５１ｃよりも可動役物１０１８ａ側（左側）に移動した拡大基準点１０５１ｄを基準にして拡大第１操作画像１０５１ａが拡大表示される。すなわち、可動役物１０１８ａの近傍位置（左上）に拡大第１操作画像１０５１ａを表示する際には、表示領域の略中央に拡大第１操作画像１０５１ａを表示する際の拡大基準点１０５１ｃとは位置の異なる、第１操作画像１０５１の中心よりも側方に移動した拡大基準点１０５１ｄを基準にして拡大するのである。
【０２４３】
このようにすることで、表示器１００８の表示領域の可動役物１０１８ａの近傍位置において拡大第１操作画像１０５１ａを表示する際に、拡大第１操作画像１０５１ａが表示領域外にはみ出すことなく表示することが可能となる。
なお、拡大第１操作画像１０５１ａを、補助表示器１０１９或いは上部演出ボタン１００２ｆの近傍位置に表示する場合にも、拡大基準点を補助表示器１０１９或いは上部演出ボタン１００２ｆ側に近い位置に設定して拡大表示が行われる。
【０２４４】
なお、拡大第１操作画像１０５１ａを補助表示器１０１９の近傍位置に表示する場合には、補助表示器１０１９でも拡大第１操作画像１０５１ａの一部は表示可能であるので、補助表示器１０１９に近い位置に設定された拡大基準点を基準に拡大第１操作画像１０５１ａの拡大表示を行い、表示器１００８及び補助表示器１０１９に跨るように拡大第１操作画像１０５１ａを表示するようにしてもよい。また、一旦、拡大第１操作画像１０５１ａを表示器１００８の略中央に表示した後、拡大基準点を補助表示器１０１９に近い位置に移動させることで、拡大第１操作画像１０５１ａ全体、或いは拡大第１操作画像１０５１ａの主要部が、表示器１００８側から補助表示器１０１９側に移動するようにしてもよい。
【０２４５】
以上のように第２実施形態の第１変形例では、操作画像制御手段としての主制御部１０１０及び副制御部１０２０は、結果確定演出の実行中に、操作手段としての演出ボタン１００２ｄの操作を促す操作画像として、第１操作画像１０５１を表示手段としての表示器１００８に表示するとともに、演出ボタン１００２ｄの操作に基づき、特典の付与に関連した所定情報として、勝利画像１０５５或いは敗北画像１０５６を表示可能としている。また、表示位置制御手段としての主制御部１０１０及び副制御部１０２０は、主制御部１０１０による抽選結果に基づき、表示器１００８の表示領域において第１操作画像１０５１の表示位置を制御可能としている。
【０２４６】
したがって、表示器１００８の表示領域における第１操作画像１０５１が表示される表示位置に応じて、特典の付与に対する期待度が変化することとなり、興趣を向上させることが可能となるのである。
【０２４７】
また、表示位置制御手段としての主制御部１０１０及び副制御部１０２０は、第１操作画像１０５１を、第１の表示位置と、第１の表示位置よりも補助装置に近い位置である第２の表示位置とに表示可能とし、抽選手段としての主制御部１０１０による抽選結果が、特典を付与するものである場合には、特典を付与するものでない場合よりも、第１操作画像１０５１を高い確率で第２の表示位置に表示する構成としている。
したがって、補助装置と関連した演出が実行可能となり、興趣を向上させることができる。また、第１操作画像１０５１が第２の表示位置に表示された場合には、遊技者の期待感をより高めることが可能となる。
【０２４８】
＜第２実施形態の第２変形例＞
次に、第２実施形態の第２変形例について、図２５を参照して説明する。
【０２４９】
第２実施形態の第２変形例においては、第２実施形態の第１変形例における結果確定演出において、第１操作画像１０５１の表示位置が事前に決定されている表示位置に表示される前に、一旦、第１操作画像１０５１を表示器１００８の表示領域の略中央の第１の表示位置に表示した後、移動させる変更演出を実行可能としている。
【０２５０】
まず、図２５（ａ）に示すように、結果確定演出の開始時に、第１操作画像１０５１が表示器１００８の表示領域の略中央に表示される。このときに、演出ボタン１００２ｄの押圧操作状態を所定時間維持する、所謂長押し操作を促す「長押し！」の文字情報が表示器１００８の表示領域に表示される。
【０２５１】
この状態で、遊技者が長押し操作を開始すると、表示領域の略中央に表示された第１操作画像１０５１が、例えば、図２５（ｂ）に示すように、可動役物１０１８ａの近傍位置に移動を開始する。そして、事前に決定されている第１操作画像１０５１の表示位置が、可動役物１０１８ａの近傍位置であった場合には、遊技者の長押し操作が所定時間（例えば、５秒）経過すると、図２５（ｃ）に示すように、第１操作画像１０５１が可動役物１０１８ａの近傍位置に到達して、以降図２３での説明と同様の演出が実行される。
【０２５２】
一方、事前に決定されている第１操作画像１０５１の表示位置が、表示領域の略中央であった場合には、遊技者の長押し操作が所定時間（例えば、５秒）経過しても、第１操作画像１０５１が可動役物１０１８ａの近傍位置に到達せずに、図２５（ｅ）に示すように、第１操作画像１０５１が表示領域の略中央に戻るフェイク演出を実行し、以降図２０での説明と同様の演出が実行される。
【０２５３】
以上のように第２実施形態の第２変形例においては、表示位置制御手段としての主制御部１０１０及び副制御部１０２０は、第１の表示位置に表示された操作画像として第１操作画像１０５１を、第２の表示位置に変更可能な変更演出を行う構成としている。
したがって、第１の表示位置に第１操作画像１０５１が表示された場合でも、第１操作画像１０５１が第２の表示位置に変更する場合もあるので、第１操作画像１０５１が期待度の低い表示位置に表示された場合でも、遊技者の期待感が低下してしまうことを防止できる。
【０２５４】
なお、事前決定された第１操作画像１０５１の表示位置が、補助表示器１０１９、或いは上部演出ボタン１００２ｆの近傍位置であった場合でも、同様の変更演出を実行可能としている。また、事前決定された第１操作画像１０５１の表示位置が、表示領域の略中央であった場合の所定の確率で、補助装置の何れかの１つの方向に移動するフェイク演出が行われるが、フェイク演出の発生確率は、期待度の高い補助装置側に移動するものほど、低い発生確率に設定することが好ましい。
【０２５５】
また、事前決定された第１操作画像１０５１の表示位置が補助装置の何れかの１つの近傍であった場合に、ＡＲＴ状態（或いは上乗せ）に当選している場合には比較的高い確率で、或いは当選していない場合には比較的低い確率で変更演出の実行を決定することで、第１操作画像１０５１の表示位置が、変更演出を経て決定された場合には、変更演出を経ないで決定された場合よりも、ＡＲＴ状態（或いは上乗せ）の当選に対する期待度が高くなるように設定することが好ましい。
【０２５６】
＜第２実施形態の第３変形例＞
次に、第２実施形態の第３変形例について、図２６を参照して説明する。
【０２５７】
第２実施形態の第３変形例では、演出ボタン１００２ｄを使用した演出が前述した第２実施形態の第１変形例と異なっている。また、前述した第２実施形態の第１変形例では、演出ボタン１００２ｄを使用した演出は、結果確定演出以降に実行されているが、第３変形例では、前兆演出（或いは上乗せ演出）の最終ゲームの開始から実行される。したがって、第３変形例では、前兆演出の最終ゲームの開始時点で、対戦結果が確定する直前の画像が表示されている。
【０２５８】
図２６に示すように、前兆演出の最終ゲームが開始されると、対戦結果が確定する直前の画像とともに、第１操作画像１０５１の表示位置が事前に決定されている表示位置に関わらず、表示器１００８の表示領域の略中央の第１の表示位置に表示される。また、表示器１００８の表示領域には「押してみるか？」の文字情報が表示される。
【０２５９】
そして、第１操作画像１０５１が表示領域の略中央に表示された時点で、演出ボタン１００２ｄの操作は有効となり、この時点で遊技者が演出ボタン１００２ｄを押圧操作すれば、事前決定された第１操作画像１０５１の表示位置に対応した演出が実行される。例えば、第１操作画像１０５１の表示位置が可動役物１０１８ａの近傍位置に事前決定されていた場合には、前述した図２３と同様の可動役物１０１８ａの動作を伴う最も期待度の高い演出（特定演出）が実行されることとなる。
【０２６０】
すなわち、この時点では、事前決定された第１操作画像１０５１の表示位置が、全ての表示位置の可能性を有していて、この全ての表示位置の可能性のある時点で演出ボタン１００２ｄの操作が行えるので、たとえ第１操作画像１０５１の表示位置が最終的に期待度の低いものであっても、期待度の高い表示位置を期待して演出ボタン１００２ｄの押圧操作を可能としている。
【０２６１】
次に、遊技者が、演出ボタン１００２ｄの押圧操作を行わずに、リール１０４１ａ〜１０４１ｃのうちの何れか１つのリールを停止すると、事前決定された第１操作画像１０５１の表示位置が、表示領域の略中央以外であった場合には、図２６（ｂ）に示すように、第１操作画像１０５１の表示位置が、表示領域の略中央から補助表示器１０１９の近傍位置である第２の表示位置に移動する。また、表示器１００８の表示領域には「まだ押さないのか？」の文字情報が表示される。この時点で遊技者が演出ボタン１００２ｄを押圧操作すれば、事前決定された第１操作画像１０５１の表示位置が表示領域の略中央以外の表示位置に対応した演出（特定演出）が実行される。一方、この時点で、第１操作画像１０５１が移動しなければ、第１操作画像１０５１の表示位置が、表示領域の略中央で確定し、最も期待度の低い状態で演出ボタン１００２ｄの押圧操作を行うこととなる。
【０２６２】
すなわち、リール１０４１ａ〜１０４１ｃのうちの何れか１つのリールを停止時点で、第１操作画像１０５１が補助表示器１０１９の近傍位置に移動した場合には、１番目のリールを停止する前に比べて期待度の高い状態で、演出ボタン１００２ｄの操作が可能となるが、第１操作画像１０５１が移動しなかった場合には、第１操作画像１０５１の表示位置が表示領域の略中央に確定するので、１番目のリールを停止する前に比べて他の補助装置側に第１操作画像１０５１が移動する可能性がなくなった状態で演出ボタン１００２ｄを操作しなければならなくなる。
【０２６３】
次に、遊技者が、演出ボタン１００２ｄの押圧操作を行わずに、リール１０４１ａ〜１０４１ｃのうちの２番目のリールを停止すると、事前決定された第１操作画像１０５１の表示位置が、補助表示器１０１９の近傍位置以外であった場合には、図２６（ｃ）に示すように、第１操作画像１０５１の表示位置が、補助表示器１０１９の近傍位置から上部演出ボタン１００２ｆの近傍位置である第２の表示位置に移動する。また、表示器１００８の表示領域には「そろそろ押してみるか？」の文字情報が表示される。この時点で遊技者が演出ボタン１００２ｄを押圧操作すれば、事前決定された第１操作画像１０５１の表示位置が上部演出ボタン１００２ｆの近傍位置、及び可動役物１０１８ａの近傍位置の何れかに対応した演出（特定演出）が実行される。一方、この時点で、第１操作画像１０５１が移動しなければ、第１操作画像１０５１の表示位置が、補助表示器１０１９の近傍位置で確定し、上部演出ボタン１００２ｆの近傍位置、及び可動役物１０１８ａの近傍位置よりも期待度の低い状態で演出ボタン１００２ｄの押圧操作を行うこととなる。
【０２６４】
すなわち、リール１０４１ａ〜１０４１ｃのうちの２番目のリールを停止時点で、第１操作画像１０５１が上部演出ボタン１００２ｆの近傍位置に移動した場合には、２番目のリールを停止する前に比べて期待度の高い状態で、演出ボタン１００２ｄの操作が可能となるが、第１操作画像１０５１が移動しなかった場合には、第１操作画像１０５１の表示位置が補助表示器１０１９の近傍位置に確定するので、２番目のリールを停止する前に比べてより期待度の高い補助装置側に第１操作画像１０５１が移動する可能性がなくなった状態で演出ボタン１００２ｄを操作しなければならなくなる。
【０２６５】
次に、遊技者が、演出ボタン１００２ｄの押圧操作を行わずに、リール１０４１ａ〜１０４１ｃのうちの最後のリールを停止すると、事前決定された第１操作画像１０５１の表示位置が、可動役物１０１８ａの近傍位置であった場合には、図２６（ｄ）に示すように、第１操作画像１０５１の表示位置が、上部演出ボタン１００２ｆの近傍位置にから可動役物１０１８ａの近傍位置である第２の表示位置に移動する。また、表示器１００８の表示領域には「押せ！」の文字情報が表示される。この時点で遊技者が演出ボタン１００２ｄを押圧操作すれば、第１操作画像１０５１の表示位置が可動役物１０１８ａの近傍位置に対応した演出（特定演出）が確定して実行される。一方、この時点で、第１操作画像１０５１が移動しなければ、第１操作画像１０５１の表示位置が、上部演出ボタン１００２ｆの近傍位置で確定し、可動役物１０１８ａの近傍位置よりも期待度の低い状態で演出ボタン１００２ｄの押圧操作を行うこととなる。
【０２６６】
すなわち、リール１０４１ａ〜１０４１ｃのうちの最後のリールを停止時点で、第１操作画像１０５１が可動役物１０１８ａの近傍位置に移動した場合には、最後のリールを停止する前に比べて期待度の高い状態で、演出ボタン１００２ｄの操作が可能となるが、第１操作画像１０５１が移動しなかった場合には、第１操作画像１０５１の表示位置が上部演出ボタン１００２ｆの近傍位置に確定するので、最後のリールを停止する前に比べて最も期待度の高い可動役物１０１８ａ側に第１操作画像１０５１が移動する可能性がなくなった状態で演出ボタン１００２ｄを操作しなければならなくなる。
【０２６７】
以上のように第２実施形態の第３変形例においては、操作画像制御手段としての主制御部１０１０及び副制御部１０２０は、操作画像としての第１操作画像１０５１が第２の表示位置に表示されている場合に、操作手段としての演出ボタン１００２ｄの操作に基づき、補助装置と関連した特定の演出表示（特定演出）を実行可能とし、表示位置制御手段としての主制御部１０１０及び副制御部１０２０が、第１操作画像１０５１を事前に第２の表示位置に変更を決定している場合には、第１操作画像１０５１が第２の表示位置に変更される前であっても、演出ボタン１００２ｄの操作に基づき、特定の演出表示（特定演出）を実行する構成としている。
【０２６８】
したがって、第１操作画像１０５１が期待度の高い表示位置に移動可能として、その移動途中の任意の位置で遊技者による演出ボタン１００２ｄの押圧操作を可能としているので、第１操作画像１０５１が期待度の高い表示位置に移動する可能性を秘めている時点で、演出ボタン１００２ｄの押圧操作を行うか、或いは、期待度の低い表示位置に確定してしまう虞はあるが、演出ボタン１００２ｄの押圧操作をせずに、比較的期待度の高い表示位置が確定してから安心して演出ボタン１００２ｄの押圧操作を行うか、等を遊技者が選択でき、遊技者の好みに応じて演出を実行することが可能となるのである。
なお、第３変形例で示した演出を、前兆演出の最終ゲームの全てで実行してもよいし、所定の確率で実行するようにしてもよい。また、所定の確率で実行する場合には、ＡＲＴ状態（或いは上乗せ）に当選している場合には、当選していない場合よりも高い確率で実行するようにしてもよい。
【０２６９】
＜第２実施形態の第４変形例＞
次に、第２実施形態の第４変形例について、図２７を参照して説明する。
【０２７０】
前述した第２実施形態の第１変形例においては、表示器１００８の周囲に、上部演出ボタン１００２ｆ、補助表示器１０１９、可動役物１０１８ａを配設していたが、第４変形例においては、図２７に示すように、補助表示器１０１９を備えずに、表示器１００８の右上に可動役物１０１８ａを配設している。
【０２７１】
第４変形例においても、前述の図２２での説明同様、上部演出ボタン１００２ｆの操作を伴う演出が行われる場合には、第１操作画像１０５１が上部演出ボタン１００２ｆの近傍位置である第２の表示位置に表示されることとなる。
そして、演出ボタン１００２ｄが操作されると、図２７（ａ）に示すように、第１操作画像１０５１が消去し、替わりに第２操作画像１０５３が表示されて、上部演出ボタン１００２ｆの操作を促す報知が行われる。
【０２７２】
その後、上部演出ボタン１００２ｆの操作が行われると、ＡＲＴ状態（或いは上乗せ）に当選している場合には、図２７（ｂ）に示すように、上部演出ボタン１００２ｆの上方に配設される可動役物１０１８ａが第２状態に変換して、可動役物１０１８ａの所定部が第２操作画像１０５３に重なる位置まで移動することとなる。
また、図２７（ｃ）に示すように、可動役物１０１８ａの第２状態への変換に応じて、表示器１００８においては、第２操作画像１０５３が消去し、替わりに勝利画像１０５５が表示される。
そして、所定時間経過後に、図２７（ｄ）に示すように、「ＡＲＴ確定」（「或いは上乗せ確定」）の文字情報からなる第３文字画像１０５７が表示されて結果が報知される。
【０２７３】
一方、ＡＲＴ状態（或いは上乗せ）に当選していない場合には、図２２での説明同様、上部演出ボタン１００２ｆの操作が行われると、第２操作画像１０５３が消えるとともに可動役物１０１８ａが第１状態を維持し、対戦結果として敗北画像１０５６が表示される。
そして、所定時間経過後、「失敗」の文字情報からなる第４文字画像１０５８が表示されて結果が報知される。
【０２７４】
以上のように第２実施形態の第４変形例においては、表示器１００８の周辺に、上部演出ボタン１００２ｆ及び可動役物１０１８ａが近傍位置となるように配設し、操作画像制御手段としての主制御部１０１０及び副制御部１０２０は、操作画像としての第２操作画像１０５３を、表示器１００８における、上部演出ボタン１００２ｆ及び可動役物１０１８ａの近傍位置に表示可能とし、操作手段としての上部演出ボタン１００２ｆの操作に基づき、可動役物１０１８ａの第２状態への変換とともに、特典の付与に関する報知を行うのである。
【０２７５】
したがって、可動役物１０１８ａの第２状態への変換とともに、特典が付与されることが報知されるので、より斬新な態様で特典の付与が報知され、遊技の興趣をより高めることが可能となる。
また、上部演出ボタン１００２ｆと可動役物１０１８ａが近傍位置に配設されているので、操作する遊技者の手の近くで可動役物１０１８ａの動作が行われることとなり、よりインパクトのある報知態様を実現することができる。
【０２７６】
以上、第２実施形態の第１変形例〜第４変形例に係るスロットマシン１００１において、以下のような特徴を有している。
複数の情報を表示可能な表示手段（表示器１００８）を備え、遊技者にとって有利な特典（ＡＲＴ状態）の付与に関連した演出を表示手段に表示するようにした遊技機（スロットマシン１００１）において、特典を付与するか否かを抽選する抽選手段（主制御部１０１０）と、抽選手段による抽選結果に基づき、演出を制御可能な演出制御手段（主制御部１０１０及び副制御部１０２０）と、遊技者が操作可能な操作手段（演出ボタン１００２ｄ）と、表示手段の周辺に配置される、演出を補助可能な補助装置（上部演出ボタン１００２ｆ）と、を備え、補助装置は、遊技者が操作可能であり操作手段とは別個に設けられる特定操作手段（上部演出ボタン１００２ｆ）であり、演出制御手段は、演出の実行中に、操作手段の操作を促す操作画像（第１操作画像１０５１）を表示するとともに、操作手段の操作に基づき、特典の付与に関連した所定情報（例えば、勝利画像１０５５）を表示可能な操作画像制御手段（主制御部１０１０及び副制御部１０２０）を備え、操作画像制御手段は、抽選手段による抽選結果に基づき、表示手段の表示領域において操作画像の表示位置を制御可能な表示位置制御手段（主制御部１０１０及び副制御部１０２０）を備え、表示位置制御手段は、操作画像を、第１の表示位置と、第１の表示位置よりも補助装置に近い位置である第２の表示位置とに表示可能とし、抽選手段による抽選結果が、特典を付与するものである場合には、特典を付与するものでない場合よりも、操作画像を高い確率で第２の表示位置に表示することを特徴とするのである。
【０２７７】
したがって、表示器１００８の表示領域において操作画像が表示される表示態様に応じて、特典の付与に対する期待度が変化することとなり、興趣を向上させることが可能となる。
【０２７８】
また、補助装置と関連した演出が実行可能となり、興趣を向上させることができる。また、特典の付与に対する期待度をより変化性に富んだものにすることができ、遊技者の期待感を高めることが可能となる。
また、操作画像が第１の表示位置よりも特定操作手段に近くなる第２の表示位置に、操作画像を表示するので、操作画像の表示位置と特定操作手段との関連性を高めることができ、特定操作手段の操作を促す報知を確実に行うことが可能となるし、遊技者の期待感を高めることが可能となる。
【０２７９】
また、表示位置制御手段（主制御部１０１０及び副制御部１０２０）は、第１の表示位置に表示された操作画像を、第２の表示位置に変更可能な変更演出を行い、操作画像制御手段（主制御部１０１０及び副制御部１０２０）は、操作画像が第２の表示位置に表示されている場合に、操作手段の操作に基づき、補助装置と関連した特定演出を実行可能とし、表示位置制御手段が、操作画像を事前に第２の表示位置に変更を決定している場合には、操作画像が第２の表示位置に変更される前であっても、操作手段の操作に基づき、特定演出を実行することを特徴とするのである。
【０２８０】
したがって、操作画像が第２の表示位置に変更される前の、第２の表示位置に変更される可能性のある時点で、変更されることを期待して操作手段を操作してもよいし、或いは、操作画像が第２の表示位置に変更後に、安心して操作手段を操作してもよく、遊技者の好みに応じた時期に操作手段の操作を行うことが可能となり、興趣を高めることが可能となる。
【０２８１】
また、補助装置は、非作動状態と、所定部位が表示手段の表示領域の前方の位置となる作動状態と、に変換可能な可動役物（１０１８ａ）を含み、操作画像は、操作手段（演出ボタン１００２ｄ）の操作を促す第１操作画像（１０５１）と、特定操作手段（上部演出ボタン１００２ｆ）の操作を促す第２操作画像（１０５３）とを含み、操作画像制御手段（主制御部１０１０及び副制御部１０２０）は、特定操作手段の操作に基づいて、可動役物の変換に応じて、特典の付与に関連した所定情報を表示することを特徴とするのである。
【０２８２】
したがって、表示手段と可動役物とにより演出の興趣をより向上させることができる。また、特定操作手段の操作により可動役物を作動状態に変換するので、操作画像の表示位置と可動役物との関連性を高めることができ、より興趣の高い演出が可能となるし、遊技者の期待感を高めることが可能となる。
以上のように、第２実施形態のスロットマシン１００１が実現される。
【符号の説明】
【０２８３】
１０：スロットマシン
１４，１４ａ〜１４ｃ：ナビランプ
１５，１５ａ〜１５ｃ：停止ボタン
１６：有利区間ランプ
２０，２０ａ〜２０ｃ：リール
２４：設定ボタン
２５：主制御基板
２５ａ，２６ａ：記憶部
２５ｂ，２６ｂ：制御部
２６：副制御基板
３１：内部抽選テーブル
３２：配当テーブル
３３：有利区間移行抽選テーブル
３４：滞在ゲーム数抽選テーブル
３５：滞在ゲーム数抽選テーブル
３６：短縮抽選テーブル
３７：１Ｇ連抽選テーブル
【図１】
2019209104.tif 000003
【図２】
2019209104.tif 000004
【図３】
2019209104.tif 000005
【図４】
2019209104.tif 000006
【図５】
2019209104.tif 000007
【図６】
2019209104.tif 000008
【図７】
2019209104.tif 000009
【図８】
2019209104.tif 000010
【図９】
2019209104.tif 000011
【図１０】
2019209104.tif 000012
【図１１】
2019209104.tif 000013
【図１２】
2019209104.tif 000014
【図１３】
2019209104.tif 000015
【図１４】
2019209104.tif 000016
【図１５】
2019209104.tif 000017
【図１６】
2019209104.tif 000018
【図１７】
2019209104.tif 000019
【図１８】
2019209104.tif 000020
【図１９】
2019209104.tif 000021
【図２０】
2019209104.tif 000022
【図２１】
2019209104.tif 000023
【図２２】
2019209104.tif 000024
【図２３】
2019209104.tif 000025
【図２４】
2019209104.tif 000026
【図２５】
2019209104.tif 000027
【図２６】
2019209104.tif 000028
【図２７】
2019209104.tif 000029
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
遊技者にとって有利な特典を付与するか否かを判定可能な判定手段と、
遊技者が操作可能な操作手段と、
前記操作手段への操作を促す操作画像を表示可能な表示手段と、
前記操作手段とは異なる位置に備えられる、遊技者が操作可能な所定操作手段と、
を備え、
前記表示手段は、
第１表示位置で操作画像を表示可能であり、
前記第１表示位置よりも前記操作手段に近い位置である第２表示位置で操作画像を表示可能であり、
前記所定操作手段への操作を促す所定操作画像を第３表示位置で表示可能であり、
前記特定態様で識別情報を停止表示させるための停止操作に関する情報を示す操作指示画像を表示可能であるとともに、前記操作指示画像を前記停止操作手段が遊技者による停止操作を受け付けた場合に消去可能であり、
前記操作指示画像を消去した後に前記第２表示位置において前記操作画像を表示することで、前記操作画像の所定部を、前記操作指示画像が表示されていた位置と同じ位置に表示した場合でも、前記操作画像を前記操作指示画像と重ならないように表示可能であり、
前記第３表示位置で所定操作画像が表示される場合よりも、前記第２表示位置で操作画像が表示される場合の方が、前記判定手段により特典を付与すると判定される確率が高くなるように制御される
ことを特徴とする遊技機。
【手続補正２】
【補正対象書類名】明細書
【補正対象項目名】０００５
【補正方法】変更
【補正の内容】
【０００５】
上記課題を解決するため、本発明の遊技機は、遊技者にとって有利な特典を付与するか否かを判定可能な判定手段と、遊技者が操作可能な操作手段と、前記操作手段への操作を促す操作画像を表示可能な表示手段と、前記操作手段とは異なる位置に備えられる、遊技者が操作可能な所定操作手段と、を備え、前記表示手段は、第１表示位置で操作画像を表示可能であり、前記第１表示位置よりも前記操作手段に近い位置である第２表示位置で操作画像を表示可能であり、前記所定操作手段への操作を促す所定操作画像を第３表示位置で表示可能であり、前記特定態様で識別情報を停止表示させるための停止操作に関する情報を示す操作指示画像を表示可能であるとともに、前記操作指示画像を前記停止操作手段が遊技者による停止操作を受け付けた場合に消去可能であり、前記操作指示画像を消去した後に前記第２表示位置において前記操作画像を表示することで、前記操作画像の所定部を、前記操作指示画像が表示されていた位置と同じ位置に表示した場合でも、前記操作画像を前記操作指示画像と重ならないように表示可能であり、前記第３表示位置で所定操作画像が表示される場合よりも、前記第２表示位置で操作画像が表示される場合の方が、前記判定手段により特典を付与すると判定される確率が高くなるように制御される構成とした。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
遊技者にとって有利な特典を付与するか否かを判定可能な判定手段と、
遊技者が操作可能な操作手段と、
前記操作手段への操作を促す操作画像を表示可能な表示手段と、
前記操作手段とは異なる位置に備えられる、遊技者が操作可能な所定操作手段と、
識別情報を変動表示可能な可変表示手段と、
遊技者の停止操作を受け付け可能であって、前記可変表示手段において変動表示している識別情報を停止表示させるための停止操作手段と、
前記可変表示手段において停止表示された識別情報の停止態様が特定態様である場合、遊技媒体を払い出すことが可能な払出手段と、
を備え、
前記操作手段は、
前記停止操作手段よりも上方に設けられ、
前記表示手段は、
第１表示位置で操作画像を表示可能であり、
前記第１表示位置よりも前記操作手段に近い位置である第２表示位置で操作画像を表示可能であり、
前記所定操作手段への操作を促す所定操作画像を第３表示位置で表示可能であり、
前記特定態様で識別情報を停止表示させるための停止操作に関する情報を示す操作指示画像を表示可能であるとともに、前記操作指示画像を前記停止操作手段が遊技者による停止操作を受け付けた場合に消去可能であり、
前記操作指示画像を消去した後に前記操作画像を表示することで、前記操作画像を前記操作指示画像と重ならないように表示可能であり、
前記第３表示位置で所定操作画像が表示される場合よりも、前記第２表示位置で操作画像が表示される場合の方が、前記判定手段により特典を付与すると判定される確率が高くなるように制御される
ことを特徴とする遊技機。
【請求項２】
前記操作手段は、
前記表示手段の近傍に配置されている
ことを特徴とする請求項１に記載の遊技機。
【手続補正２】
【補正対象書類名】明細書
【補正対象項目名】０００５
【補正方法】変更
【補正の内容】
【０００５】
上記課題を解決するため、本発明の遊技機は、遊技者にとって有利な特典を付与するか否かを判定可能な判定手段と、遊技者が操作可能な操作手段と、前記操作手段への操作を促す操作画像を表示可能な表示手段と、前記操作手段とは異なる位置に備えられる、遊技者が操作可能な所定操作手段と、識別情報を変動表示可能な可変表示手段と、遊技者の停止操作を受け付け可能であって、前記可変表示手段において変動表示している識別情報を停止表示させるための停止操作手段と、前記可変表示手段において停止表示された識別情報の停止態様が特定態様である場合、遊技媒体を払い出すことが可能な払出手段と、を備え、前記操作手段は、前記停止操作手段よりも上方に設けられ、前記表示手段は、第１表示位置で操作画像を表示可能であり、前記第１表示位置よりも前記操作手段に近い位置である第２表示位置で操作画像を表示可能であり、前記所定操作手段への操作を促す所定操作画像を第３表示位置で表示可能であり、前記特定態様で識別情報を停止表示させるための停止操作に関する情報を示す操作指示画像を表示可能であるとともに、前記操作指示画像を前記停止操作手段が遊技者による停止操作を受け付けた場合に消去可能であり、前記操作指示画像を消去した後に前記操作画像を表示することで、前記操作画像を前記操作指示画像と重ならないように表示可能であり、前記第３表示位置で所定操作画像が表示される場合よりも、前記第２表示位置で操作画像が表示される場合の方が、前記判定手段により特典を付与すると判定される確率が高くなるように制御される構成とした。